(57)【要約】【課題】  発光寿命が長く、高輝度に発光する有機電界発光素子、及び該素子に適したフルオランテン誘導体を提供すること。【解決手段】  １，２−ジヒドロ−１，２−ジアザ−シクロペンタ[cd]フルオランテン誘導体、及び一対の電極間に該１，２−ジヒドロ−１，２−ジアザ−シクロペンタ[cd]フルオランテン誘導体を少なくとも一種含有する層を少なくとも一層挟持してなる有機電界発光素子。【効果】  パネル型光源として有用な、発光寿命が長くかつ発光効率の高い有機電界発光素子を提供することができる。【選択図】  なし【特許請求の範囲】
【請求項１】
一対の電極間に１，２−ジヒドロ−１，２−ジアザ−シクロペンタ[cd]フルオランテン誘導体を少なくとも１種含有する層を少なくとも一層挟持してなる有機電界発光素子。
【請求項２】
１，２−ジヒドロ−１，２−ジアザ−シクロペンタ[cd]フルオランテン誘導体を少なくとも１種含有する層が発光層である請求項１記載の有機電界発光素子。
【請求項３】
１，２−ジヒドロ−１，２−ジアザ−シクロペンタ[cd]フルオランテン誘導体を少なくとも１種含有する層が電荷注入輸送層である請求項１記載の有機電界発光素子。
【請求項４】
１，２−ジヒドロ−１，２−ジアザ−シクロペンタ[cd]フルオランテン誘導体を少なくとも１種含有する層が発光層及び電荷注入輸送層である請求項１記載の有機電界発光素子。
【請求項５】
一対の電極間に、さらに正孔注入輸送層を有する請求項１〜４のいずれかに記載の有機電界発光素子。
【請求項６】
一対の電極間に、さらに電子注入輸送層を含有する請求項１〜５のいずれかに記載の有機電界発光素子。
【請求項７】
１，２−ジヒドロ−１，２−ジアザ−シクロペンタ[cd]フルオランテン誘導体が一般式（１）（化１）で表される請求項１〜６のいずれかに記載の有機電界発光素子。
【化１】
2005235633.tif 000024
〔式中、Ｒ１〜Ｒ８はそれぞれ独立に、水素原子あるいは置換基を表し、Ｒ１〜Ｒ８の隣接する基はそれぞれ互いに結合して環状構造を形成してもよく、Ａｒ１およびＡｒ２は置換または未置換のアリール基を表す〕
【請求項８】
一般式（１）（化２）で表される１，２−ジヒドロ−１，２−ジアザ−シクロペンタ[cd]フルオランテン誘導体。
【化２】
2005235633.tif 000025
〔式中、Ｒ１〜Ｒ８はそれぞれ独立に、水素原子あるいは置換基を表し、Ｒ１〜Ｒ８の隣接する基はそれぞれ互いに結合して環状構造を形成してもよく、Ａｒ１およびＡｒ２は置換または未置換のアリール基を表す〕
【発明の詳細な説明】
【技術分野】
【０００１】
本発明は、有機電界発光素子および該有機電界発光素子に好適に使用できるフルオランテン誘導体に関する。
【背景技術】
【０００２】
従来、無機電界発光素子は、例えば、バックライトなどのパネル型光源として使用されてきたが、該発光素子を駆動させるには、交流の高電圧が必要である。最近になり、発光材料に有機材料を用いた有機電界発光素子（有機エレクトロルミネッセンス素子：有機ＥＬ素子）が開発された（非特許文献１）。
有機電界発光素子は蛍光性有機化合物を含む薄膜を、陽極と陰極間に挟持した構造を有し、該薄膜に電子および正孔（ホール）を注入して、再結合させることにより励起子（エキシントン）を生成させ、この励起子が失活する際に放出される光を利用して発光する素子である。有機電界発光素子は、数Ｖ〜数十Ｖ程度の直流の低電圧で発光が可能であり、また、蛍光性有機化合物の種類を選択することにより、種々の色（例えば、赤色、青色、緑色）の発光が可能である。このような特徴を有する有機電界発光素子は種々の発光素子、表示素子等への応用が期待されている。しかしながら、一般に、有機電界発光素子は、安定性、耐久性に乏しいなどの欠点を有している。
【０００３】
安定性、耐久性を改善し、発光寿命を向上させる方法として、例えば、ビス（２−メチル−８−キノリノラート）（４−フェニルフェノラート）アルミニウムをホスト化合物、アクリドン誘導体（例えば、Ｎ−メチル−２−メトキシアクリドン）をゲスト化合物として用いた有機電界発光素子が提案されている（特許文献１）。また、トリス（８−キノリノラート）アルミニウムをホスト化合物、キナクリドン誘導体をゲスト化合物として用いた有機電界発光素子も提案されている（非特許文献２）。しかしながらこれらの発光素子も充分な発光寿命を有しているとは言い難い。
現在では一層、発光寿命の長い有機電界発光素子が望まれている。
【非特許文献１】Appl.Phys.Lett.,51,913（1987）
【非特許文献２】Appl.Phys.Lett.70,1665(1997)
【特許文献１】特開平８−６７８７３号公報
【発明の開示】
【発明が解決しようとする課題】
【０００４】
本発明の課題は、発光寿命が長く、高輝度に発光する有機電界発光素子を提供することである。
【課題を解決するための手段】
【０００５】
本発明者らは、上記課題を解決するために、有機電界発光素子、および該素子に使用する化合物に関して鋭意検討した結果、本発明を完成させるに至った。すなわち、本発明は、
<１>：一対の電極間に１，２−ジヒドロ−１，２−ジアザ−シクロペンタ[cd]フルオランテン誘導体を少なくとも１種含有する層を少なくとも一層挟持してなる有機電界発光素子、
<２>：一般式（１）（化１）で表される１，２−ジヒドロ−１，２−ジアザ−シクロペンタ[cd]フルオランテン誘導体、
【０００６】
【化１】
2005235633.tif 000002
【０００７】
〔式中、Ｒ１〜Ｒ８はそれぞれ独立に、水素原子あるいは置換基を表し、Ｒ１〜Ｒ８の隣接する基はそれぞれ互いに結合して環状構造を形成してもよく、Ａｒ１およびＡｒ２は置換または未置換のアリール基を表す〕
に関するものである。
【発明の効果】
【０００８】
本発明により、少なくとも一種の１，２−ジヒドロ−１，２−ジアザ−シクロペンタ[cd]フルオランテン誘導体を含有する層を少なくとも一層挟持してなる、発光寿命、発光効率に優れた有機電界発光素子、および、有機電界発光素子に好適に使用することができる１，２−ジヒドロ−１，２−ジアザ−シクロペンタ[cd]フルオランテン誘導体を提供することが可能になる。
【発明を実施するための最良の形態】
【０００９】
以下、本発明に関し詳細に説明する。
【００１０】
本発明の有機電界発光素子は、一対の電極間に、１，２−ジヒドロ−１，２−ジアザ−シクロペンタ[cd]フルオランテン誘導体を少なくとも１種含有する層を少なくとも１層挟持してなるものである。
本発明に係る１，２−ジヒドロ−１，２−ジアザ−シクロペンタ[cd]フルオランテン誘導体は好ましくは、一般式（１）（化２）で表される骨格を有する化合物であり、
【００１１】
【化２】
2005235633.tif 000003
【００１２】
〔式中、Ｒ１〜Ｒ８はそれぞれ独立に、水素原子あるいは置換基を表し、Ｒ１〜Ｒ８の隣接する基はそれぞれ互いに結合して環状構造を形成してもよく、Ａｒ１およびＡｒ２は置換または未置換のアリール基を表す〕
【００１３】
本発明の１，２−ジヒドロ−１，２−ジアザ−シクロペンタ[cd]フルオランテン誘導体は、一般式（１）において、Ｒ１〜Ｒ８の隣接する基がそれぞれ互いに結合して環状構造を形成する際には、下記の一般式（１−Ａ）〜一般式（１−Ｃ）の構造が好ましい。
【００１４】
【化３】
2005235633.tif 000004
【００１５】
〔式中、Ｒ１〜Ｒ８、Ａｒ１およびＡｒ２は一般式（１）と同様の意味を表し、Ｙ１〜Ｙ４は水素原子あるいは置換基を表し、Ｙ１〜Ｙ４の隣接する基はそれぞれ互いに結合して環状構造を形成していてもよい〕
好ましくは、環状構造を形成していない一般式（１）の構造、（１−Ａ）の構造および／または（１−Ｃ）の構造であり、より好ましくは、環状構造を形成していない一般式（１）の構造および／または（１−Ｃ）の構造である。
【００１６】
一般式（１）で表される１，２−ジヒドロ−１，２−ジアザ−シクロペンタ[cd]フルオランテン誘導体において、Ｒ１〜Ｒ８は水素原子あるいは置換基を表し、ここで置換基としては、ハロゲン原子、置換または未置換の直鎖、分岐または環状のアルキル基、置換または未置換の直鎖、分岐または環状のアルコキシ基、置換または未置換のアリール基、置換または未置換のアリールオキシ基、置換または未置換のアラルキル基、置換または未置換のアラルキルオキシ基、置換または未置換のアミノ基、シアノ基、ニトロ基、カルボキシル基、置換または未置換の直鎖、分岐または環状のアルコキシカルボニル基、置換または未置換のアリールオキシカルボニル基、置換または未置換の直鎖、分岐または環状のアルキルカルボニルオキシ基、置換または未置換のアリールカルボニルオキシ基、あるいは、置換または未置換のアミノカルボニル基を表す。
【００１７】
置換基は好ましくは、ハロゲン原子、炭素原子数１〜２０の置換または未置換の直鎖、分岐または環状のアルキル基、炭素原子数１〜２０の置換または未置換の直鎖、分岐または環状のアルコキシ基、炭素原子数２〜３０の置換または未置換のアリール基（ヘテロアリール基を含む）、炭素原子数２〜３０の置換または未置換のアリールオキシ基（ヘテロアリールオキシ基を含む）、炭素原子数７〜２０の置換または未置換のアラルキル基、炭素原子数７〜２０の置換または未置換のアラルキルオキシ基、未置換のアミノ基、炭素原子数１〜２０の置換または未置換の直鎖、分岐または環状のアルキル基でモノあるいはジ置換されたアミノ基、炭素原子数２〜３０の置換または未置換のアリール基（ヘテロアリール基を含む）でモノあるいはジ置換されたアミノ基、炭素原子数７〜２０の置換または未置換のアラルキル基でモノあるいはジ置換されたアミノ基、炭素原子数２〜２０の置換または未置換の直鎖、分岐または環状のアルコキシカルボニル基、炭素原子数７〜３０の置換または未置換のアリールオキシカルボニル基、炭素原子数２〜２０の置換または未置換の直鎖、分岐または環状のアルキルカルボニルオキシ基、炭素原子数７〜３０の置換または未置換のアリールカルボニルオキシ基、あるいは炭素原子数１〜２０の置換または未置換の直鎖、分岐または環状のアルキル基でモノあるいはジ置換されたアミノカルボニル基、炭素原子数２〜３０の置換または未置換のアリール基（ヘテロアリール基を含む）でモノあるいはジ置換されたアミノカルボニル基を表し、
【００１８】
より好ましくは、ハロゲン原子、炭素原子数１〜１５の置換または未置換の直鎖、分岐または環状のアルキル基、炭素原子数１〜１５の置換または未置換の直鎖、分岐または環
状のアルコキシ基、炭素原子数４〜２５の置換または未置換のアリール基（ヘテロアリール基を含む）、炭素原子数４〜２５の置換または未置換のアリールオキシ基（ヘテロアリールオキシ基を含む）、炭素原子数７〜１５の置換または未置換のアラルキル基、炭素原子数７〜１５の置換または未置換のアラルキルオキシ基、未置換のアミノ基、炭素原子数１〜１５の置換または未置換の直鎖、分岐または環状のアルキル基でモノあるいはジ置換されたアミノ基、炭素原子数４〜２５の置換または未置換のアリール基（ヘテロアリール基を含む）でモノあるいはジ置換されたアミノ基、炭素原子数７〜１５の置換または未置換のアラルキル基でモノあるいはジ置換されたアミノ基、炭素原子数２〜１５の置換または未置換の直鎖、分岐または環状のアルコキシカルボニル基、炭素原子数７〜２５の置換または未置換のアリールオキシカルボニル基、炭素原子数２〜１５の置換または未置換の直鎖、分岐または環状のアルキルカルボニルオキシ基、炭素原子数７〜２５の置換または未置換のアリールカルボニルオキシ基、あるいは炭素原子数１〜１５の置換または未置換の直鎖、分岐または環状のアルキル基でモノあるいはジ置換されたアミノカルボニル基、炭素原子数４〜２５の置換または未置換のアリール基（ヘテロアリール基を含む）でモノあるいはジ置換されたアミノカルボニル基を表す。
【００１９】
Ｒ１〜Ｒ８のハロゲン原子の具体例としては、例えば、フッ素原子、塩素原子、臭素原子などのハロゲン原子を挙げることができる。
【００２０】
Ｒ１〜Ｒ８の置換または未置換の直鎖、分岐鎖または環状のアルキル基の具体例としては、例えば、メチル基、エチル基、ｎ−プロピル基、イソプロピル基、ｎ−ブチル基、イソブチル基、sec-ブチル基、tert−ブチル基、ｎ−ペンチル基、イソペンチル基、ネオペンチル基、tert−ペンチル基、ｎ−ヘキシル基、１−メチルペンチル基、４−メチル−２−ペンチル基、２−エチルブチル基、ｎ−ヘプチル基、１−メチルヘキシル基、ｎ−オクチル基、１−メチルヘプチル基、２−エチルヘキシル基、２−プロピルペンチル基、ｎ−ノニル基、２，２−ジメチルヘプチル基、２，６−ジメチル−４−ヘプチル基、３，５，５−トリメチルヘキシル基、ｎ−デシル基、１−エチルオクチル基、ｎ−ウンデシル基、１−メチルデシル基、ｎ−ドデシル基、ｎ−トリデシル基、１−ヘキシルヘプチル基、ｎ−テトラデシル基、ｎ−ペンタデシル基、１−ヘプチルオクチル基、ｎ−ヘキサデシル基、ｎ−ヘプタデシル基、１−オクチルノニル基、ｎ−オクタデシル基、１−ノニルデシル基、１−デシルウンデシル基、ｎ−エイコシル基、ｎ−ドコシル基、ｎ−テトラコシル基、シクロヘキシルメチル基、（１−イソプロピルシクロヘキシル）メチル基、２−シクロヘキシルエチル基、ボルネル基、イソボルネル基、
【００２１】
１−ノルボルニル基、２−ノルボルナンメチル基、１−ビシクロ〔２．２．２〕オクチル基、１−アダマンチル基、２−アダマンチル基、３−ノルアダマンチル基、１−アダマンチルメチル基、シクロブチル基、シクロペンチル基、１−メチルシクロペンチル基、シクロヘキシル基、４−メチルシクロヘキシル基、３−メチルシクロヘキシル基、２−メチルシクロヘキシル基、２，３−ジメチルシクロヘキシル基、２，５−ジメチルシクロヘキシル基、２，６−ジメチルシクロヘキシル基、３，４−ジメチルシクロヘキシル基、３，５−ジメチルシクロヘキシル基、２，４，６−トリメチルシクロヘキシル基、３，３，５−トリメチルシクロヘキシル基、２，６−ジイソプロピルシクロヘキシル基、４−tert−ブチルシクロヘキシル基、３−tert−ブチルシクロヘキシル基、４−フェニルシクロヘキシル基、２−フェニルシクロヘキシル基、シクロヘプチル基、シクロオクチル基、シクロデシル基、シクロドデシル基、シクロテトラデシル基、
【００２２】
メトキシメチル基、エトキシメチル基、ｎ−ブトキシメチル基、ｎ−ヘキシルオキシメチル基、（２−エチルブチルオキシ）メチル基、ｎ−オクチルオキシメチル基、ｎ−デシルオキシメチル基、２−メトキシエチル基、２−エトキシエチル基、２−ｎ−プロポキシエチル基、２−イソプロポキシエチル基、２−ｎ−ブトキシエチル基、２−ｎ−ペンチルオ
キシエチル基、２−ｎ−ヘキシルオキシエチル基、２−（２’−エチルブチルオキシ）エチル基、２−ｎ−ヘプチルオキシエチル基、２−ｎ−オクチルオキシエチル基、２−（２’−エチルヘキシルオキシ）エチル基、２−ｎ−デシルオキシエチル基、２−ｎ−ドデシルオキシエチル基、２−ｎ−テトラデシルオキシエチル基、２−シクロヘキシルオキシエチル基、２−メトキシプロピル基、３−メトキシプロピル基、３−エトキシプロピル基、３−ｎ−プロポキシプロピル基、３−イソプロポキシプロピル基、３−（ｎ−ブトキシ）プロピル基、３−（ｎ−ペンチルオキシ）プロピル基、３−（ｎ−ヘキシルオキシ）プロピル基、
【００２３】
３−（２’−エチルブトキシ）プロピル基、３−（ｎ−オクチルオキシ）プロピル基、３−（２’−エチルヘキシルオキシ）プロピル基、３−（ｎ−デシルオキシ）プロピル基、３−（ｎ−ドデシルオキシ）プロピル基、３−（ｎ−テトラデシルオキシ）プロピル基、３−シクロヘキシルオキシプロピル基、４−メトキシブチル基、４−エトキシブチル基、４−ｎ−プロポキシブチル基、４−イソプロポキシブチル基、４−ｎ−ブトキシブチル基、４−ｎ−ヘキシルオキシブチル基、４−ｎ−オクチルオキシブチル基、４−ｎ−デシルオキシブチル基、４−ｎ−ドデシルオキシブチル基、５−メトキシペンチル基、５−エトキシペンチル基、５−ｎ−プロポキシペンチル基、６−エトキシヘキシル基、６−イソプロポキシヘキシル基、６−ｎ−ブトキシヘキシル基、６−ｎ−ヘキシルオキシヘキシル基、６−ｎ−デシルオキシヘキシル基、４−メトキシシクロヘキシル基、７−エトキシヘプチル基、７−イソプロポキシヘプチル基、８−メトキシオクチル基、１０−メトキシデシル基、１０−ｎ−ブトキシデシル基、１２−エトキシドデシル基、１２−イソプロポキシドデシル基、テトラヒドロフルフリル基、
【００２４】
２−（２’−メトキシエトキシ）エチル基、２−（２’−エトキシエトキシ）エチル基、２−（２’−ｎ−ブトキシエトキシ）エチル基、３−（２’−エトキシエトキシ）プロピル基、２−アリルオキシエチル基、２−（４’−ペンテニルオキシ）エチル基、３−アリルオキシプロピル基、３−（２’−ヘキセニルオキシ）プロピル基、３−（２’−ヘプテニルオキシ）プロピル基、３−（１’−シクロヘキセニルオキシ）プロピル基、４−アリルオキシブチル基、
【００２５】
ベンジルオキシメチル基、２−ベンジルオキシエチル基、２−フェネチルオキシエチル基、２−（４’−メチルベンジルオキシ）エチル基、２−（２’−メチルベンジルオキシ）エチル基、２−（４’−フルオロベンジルオキシ）エチル基、２−（４’−クロロベンジルオキシ）エチル基、３−ベンジルオキシプロピル基、３−（４’−メトキシベンジルオキシ）プロピル基、４−ベンジルオキシブチル基、２−（ベンジルオキシメトキシ）エチル基、２−（４’−メチルベンジルオキシメトキシ）エチル基、
【００２６】
フェニルオキシメチル基、４−メチルフェニルオキシメチル基、３−メチルフェニルオキシメチル基、２−メチルフェニルオキシメチル基、４−メトキシフェニルオキシメチル基、４−フルオロフェニルオキシメチル基、４−クロロフェニルオキシメチル基、２−クロロフェニルオキシメチル基、２−フェニルオキシエチル基、２−（４’−メチルフェニルオキシ）エチル基、２−（４’−エチルフェニルオキシ）エチル基、２−（４’−メトキシフェニルオキシ）エチル基、２−（４’−クロロフェニルオキシ）エチル基、２−（４’−ブロモフェニルオキシ）エチル基、２−（１’−ナフチルオキシ）エチル基、２−（２’−ナフチルオキシ）エチル基、３−フェニルオキシプロピル基、３−（２’−ナフチルオキシ）プロピル基、４−フェニルオキシブチル基、４−（２’−エチルフェニルオキシ）ブチル基、５−（４’−tert−ブチルフェニルオキシ）ペンチル基、６−（２’−クロロフェニルオキシ）ヘキシル基、８−フェニルオキシオクチル基、１０−フェニルオキシデシル基、１０−（３’−クロロフェニルオキシ）デシル基、２−（２’−フェニルオキシエトキシ）エチル基、３−（２’−フェニルオキシエトキシ）プロピル基、４−（２
’−フェニルオキシエトキシ）ブチル基、
【００２７】
ｎ−ブチルチオメチル基、ｎ−ヘキシルチオメチル基、２−メチルチオエチル基、２−エチルチオエチル基、２−ｎ−ブチルチオエチル基、２−ｎ−ヘキシルチオエチル基、２−ｎ−オクチルチオエチル基、２−ｎ−デシルチオエチル基、３−メチルチオプロピル基、３−エチルチオプロピル基、３−ｎ−ブチルチオプロピル基、４−エチルチオブチル基、４−ｎ−プロピルチオブチル基、４−ｎ−ブチルチオブチル基、５−エチルチオペンチル基、６−メチルチオヘキシル基、６−エチルチオヘキシル基、６−ｎ−ブチルチオヘキシル基、８−メチルチオオクチル基、２−（２’−メトキシエチルチオ）エチル基、４−（３’−エトキシプロピルチオ）ブチル基、２−（２’−エチルチオエチルチオ）エチル基、２−アリルチオエチル基、２−ベンジルチオエチル基、３−（４’−メチルベンジルチオ）プロピル基、４−ベンジルチオブチル基、２−（２’−ベンジルオキシエチルチオ）エチル基、３−（３’−ベンジルチオプロピルチオ）プロピル基、
２−フェニルチオエチル基、２−（４’−メトキシフェニルチオ）エチル基、２−（２’−フェニルオキシエチルチオ）エチル基、３−（２’−フェニルチオエチルチオ）プロピル基、
【００２８】
フルオロメチル基、３−フルオロプロピル基、６−フルオロヘキシル基、８−フルオロオクチル基、ジフルオロメチル基、トリフルオロメチル基、１，１−ジヒドロ−パーフルオロエチル基、１，１−ジヒドロ−パーフルオロ−ｎ−プロピル基、１，１，３−トリヒドロ−パーフルオロ−ｎ−プロピル基、１，１−ジヒドロ−パーフルオロ−ｎ−ブチル基、１，１−ジヒドロ−パーフルオロ−ｎ−ペンチル基、１，１−ジヒドロ−パーフルオロ−ｎ−ヘキシル基、６−フルオロヘキシル基、４−フルオロシクロヘキシル基、１，１−ジヒドロ−パーフルオロ−ｎ−オクチル基、１，１−ジヒドロ−パーフルオロ−ｎ−デシル基、１，１−ジヒドロ−パーフルオロ−ｎ−ドデシル基、１，１−ジヒドロ−パーフルオロ−ｎ−テトラデシル基、１，１−ジヒドロ−パーフルオロ−ｎ−ヘキサデシル基、パーフルオロ−ｎ−ヘキシル基、ジクロロメチル基、２−クロロエチル基、３−クロロプロピル基、４−クロロシクロヘキシル基、７−クロロヘプチル基、８−クロロオクチル基、２，２，２−トリクロロエチル基、
【００２９】
２−ヒドロキシエチル基、２−ヒドロキシプロピル基、３−ヒドロキシプロピル基、３−ヒドロキシブチル基、４−ヒドロキシブチル基、６−ヒドロキシヘキシル基、５−ヒドロキシヘプチル基、８−ヒドロキシオクチル基、１０−ヒドロキシデシル基、１２−ヒドロキシドデシル基、２−ヒドロキシシクロヘキシル基などの置換または未置換の直鎖、分岐鎖または環状のアルキル基を挙げることができる。
【００３０】
Ｒ１〜Ｒ８の置換または未置換の直鎖、分岐または環状のアルコキシ基の具体例としては、上記の置換または未置換の直鎖、分岐または環状のアルキル基に酸素原子が結合した形式で表されるアルコキシ基を挙げることができる。
【００３１】
Ｒ１〜Ｒ８の置換または未置換のアリール基の具体例としては、例えば、フェニル基、１−ナフチル基、２−ナフチル基、２−アントラセニル基、９−アントラセニル基、９−メチル−１０−アントラセニル基、９−フェニル−１０−アントラセニル基、１−フェナントリル基、２−フェナントリル基、３−フェナントリル基、４−フェナントリル基、９−フェナントリル基、９−メチル−１０−フェナントリル基、９−フェニル−１０−フェナントリル基、１−メチル−９−フェナントリル基、１−フェニル−９−フェナントリル基、２−メチル−９−フェナントリル基、２−フェニル−９−フェナントリル基、１，８−ジメチル−９−フェナントリル基、１，８−ジフェニル−９−フェナントリル基、２−クロロ−９−フェナントリル基、２−フルオロ−９−フェナントリル基、２，７−ジクロロ−９−フェナントリル基、２，７−ジメチル−９−フェナントリル基、２，７−ジフェ
ニル−９−フェナントリル基、２，７，９−トリメチル−１０−フェナントリル基、２，７，９−トリフェニル−１０−フェナントリル基、
２−キノリニル基、４−キノリニル基、１−ピレニル基、２−ピレニル基、１−フェニルー２−ピレニル基、１−メチル−２−ピレニル基、２−フェニル−１−ピレニル基、２−メチル−１−ピレニル基、４，５−ジメチル−１−ピレニル基、６−フェニル−１−ピレニル基、６−メチル−１−ピレニル基、６−tert-ブチル−１−ピレニル基、６−シクロヘキシル−１−ピレニル基、７−フェニル−１−ピレニル基、７−メチル−１−ピレニル基、７−フェニル−２−ピレニル基、７−メチル−２−ピレニル基、
【００３２】
７−tert-ブチル−２−ピレニル基、１，８−ジフェニル−２−ピレニル基、１，８−ジメチル−２−ピレニル基、５，９−ジシクロヘキシル−２−ピレニル基、３，６−ジフェニル−１−ピレニル基、３，６−ジメチル−１−ピレニル基、３，６−ジ-tert-ブチル−１−ピレニル基、８−メチル−１−ピレニル基、８-tert-ブチル−１−ピレニル基、８−フェニル−１−ピレニル基、９−フェニル−１−ピレニル基、９−フェニル−２−ピレニル基、９−メチル−２−ピレニル基、１０−フェニル−１−ピレニル基、１０−メチル−１−ピレニル基、１０−フェニル−２−ピレニル基、１０−メチル−２−ピレニル基、９−メチル−１−ピレニル基、３，６，８−トリメチル−１−ピレニル基、３，６，８−トリフェニル−１−ピレニル基、３，６−ジメチル−８−フェニル−１−ピレニル基、９，１０−ジメチル−１−ピレニル基、９，１０−ジフェニル−１−ピレニル基、４，９−ジメチル−１−ピレニル基、４，９−ジフェニル−１−ピレニル基、９，５−ジメチル−２−ピレニル基、４，５，９，１０−トリメチル−２−ピレニル基、９Ｈ−フルオレニン−２−イル基、９−メチル−９Ｈ−フルオレン−２−イル基、９，９−ジメチル−９Ｈ−フルオレン−２−イル基、９，９−ジエチル−９Ｈ−フルオレン−２−イル基、９，９−ジベンジル−９Ｈ−２−フルオレン−２−イル基、９，９−ジフェニル−９Ｈ−フルオレン−２−イル基、７，９，９−トリメチル−９Ｈ−フルオレン−２−イル基、７−フェニル−９，９−ジメチル−９Ｈ−フルオレン−２−イル基、７−Ｎ−カルバゾリル−９，９−ジメチル−９Ｈ−フルオレン−２−イル基、７−Ｎ，Ｎ−ジメチルアミノ９，９−ジメチル−９Ｈ−フルオレン−２−イル基、
【００３３】
７−Ｎ，Ｎ−ジフェニルアミノ−９，９−ジメチル−９Ｈ−フルオレン−２−イル基、４−ピリジニル基、３−ピリジニル基、２−ピリジニル基、５−フェニル−２−ピリジニル基、２−フェニル−４−ピリジニル基、３−フラニル基、２−フラニル基、５−フェニル−２−フラニル基、３−チエニル基、２−チエニル基、５−フェニル−２−チエニル基、２−オキサゾリル基、２−チアゾリル基、５−フェニル−２−オキサゾリル基、５−フェニル−２−チアゾリル基、２−オキサジアゾリル基、２−チアジアゾリル基、５−フェニル−２−オキサジアゾリル基、５−フェニル−２−チアジアゾリル基、５−（１’−ナフチル）−２−オキサジアゾリル基、５−（１’−ナフチル）−２−チアジアゾリル基、２−ベンゾオキサゾリル基、２−ベンゾチアゾリル基、２−ベンゾイミダゾリル基、２−ジベンゾオキサゾリル基、３−ジベンゾオキサゾリル基、２−ジベンゾチアゾリル基、３−ジベンゾチアゾリル基、
４−メチルフェニル基、３−メチルフェニル基、２−メチルフェニル基、４−エチルフェニル基、３−エチルフェニル基、２−エチルフェニル基、４−ｎ−プロピルフェニル基、４−イソプロピルフェニル基、２−イソプロピルフェニル基、４−ｎ−ブチルフェニル基、４−イソブチルフェニル基、４−sec−ブチルフェニル基、２−sec−ブチルフェニル基、４−tert−ブチルフェニル基、３−tert−ブチルフェニル基、２−tertブチルフェニル基、４−ｎ−ペンチルフェニル基、４−イソペンチルフェニル基、２−ネオペンチルフェニル基、４−tert−ペンチルフェニル基、４−ｎ−ヘキシルフェニル基、４−（２’−エチルブチル）フェニル基、４−ｎ−ヘプチルフェニル基、４−ｎ−オクチルフェニル基、４−（２’−エチルヘキシル）フェニル基、４−tert−オクチルフェニル基、４−ｎ−デシルフェニル基、
【００３４】
４−ｎ−ドデシルフェニル基、４−ｎ−テトラデシルフェニル基、４−シクロペンチルフェニル基、４−シクロヘキシルフェニル基、４−（４’−メチルシクロヘキシル）フェニル基、４−（４’−tert−ブチルシクロヘキシル）フェニル基、３−シクロヘキシルフェニル基、２−シクロヘキシルフェニル基、４−エチル−１−ナフチル基、６−ｎ−ブチル−２−ナフチル基、２，４−ジメチルフェニル基、３，４−ジメチルフェニル基、３，５−ジメチルフェニル基、２，６−ジメチルフェニル基、２，４−ジエチルフェニル基、２，３，５−トリメチルフェニル基、２，３，６−トリメチルフェニル基、３，４，５−トリメチルフェニル基、２，６−ジエチルフェニル基、２，５−ジイソプロピルフェニル基、２，６−ジイソブチルフェニル基、２，４−ジ−tert−ブチルフェニル基、２，５−ジ−tert−ブチルフェニル基、４，６−ジ−tert−ブチル−２−メチルフェニル基、５−tert−ブチル−２−メチルフェニル基、４−tert−ブチル−２，６−ジメチルフェニル基、
【００３５】
４−メトキシフェニル基、３−メトキシフェニル基、２−メトキシフェニル基、４−エトキシフェニル基、３−エトキシフェニル基、２−エトキシフェニル基、４−ｎ−プロポキシフェニル基、３−ｎ−プロポキシフェニル基、４−イソプロポキシフェニル基、３−イソプロポキシフェニル基、２−イソプロポキシフェニル基、４−ｎ−ブトキシフェニル基、４−イソブトキシフェニル基、２−sec−ブトキシフェニル基、４−ｎ−ペンチルオキシフェニル基、４−イソペンチルオキシフェニル基、２−イソペンチルオキシフェニル基、４−ネオペンチルオキシフェニル基、２−ネペンチルオキシフェニル基、４−ｎ−ヘキシルオキシフェニル基、２−（２’−エチルブチルオキシ）フェニル基、４−ｎ−オクチルオキシフェニル基、４−ｎ−デシルオキシフェニル基、４−ｎ−ドデシルオキシフェニル基、４−ｎ−テトラデシルオキシフェニル基、４−シクロヘキシルオキシフェニル基、２−シクロヘキシルオキシフェニル基、２−メトキシ−１−ナフチル基、４−メトキシ−１−ナフチル基、４−ｎ−ブトキシ−１−ナフチル基、５−エトキシ−１−ナフチル基、６−メトキシ−２−ナフチル基、６−エトキシ−２−ナフチル基、６−ｎ−ブトキシ−２−ナフチル基、６−ｎ−ヘキシルオキシ−２−ナフチル基、７−メトキシ−２−ナフチル基、７−ｎ−ブトキシ−２−ナフチル基、２−メチル−４−メトキシフェニル基、２−メチル−５−メトキシフェニル基、３−メチル−５−メトキシフェニル基、３−エチル−５−メトキシフェニル基、２−メトキシ−４−メチルフェニル基、３−メトキシ−４−メチルフェニル基、
【００３６】
２，４−ジメトキシフェニル基、２，５−ジメトキシフェニル基、２，６−ジメトキシフェニル基、３，４−ジメトキシフェニル基、３，５−ジメトキシフェニル基、３，５−ジエトキシフェニル基、３，５−ジ−ｎ−ブトキシフェニル基、２−メトキシ−４−エトキシフェニル基、２−メトキシ−６−エトキシフェニル基、３，４，５−トリメトキシフェニル基、４−フェニルフェニル基、３−フェニルフェニル基、２−フェニルフェニル基、４−（４’−メチルフェニル）フェニル基、４−（３’−メチルフェニル）フェニル基、４−フェニル−２−メチルフェニル基、４−フェニル−３−メチルフェニル基、２−（２’−フェニルフェニル）フェニル基、３−（３’−フェニルフェニル）フェニル基、４−（４’−フェニルフェニル）フェニル基、４−（４’−メトキシフェニル）フェニル基、４−（４’−ｎ−ブトキシフェニル）フェニル基、２−（２’−メトキシフェニル）フェニル基、４−（４’−クロロフェニル）フェニル基、３−メチル−４−フェニルフェニル基、３−メトキシ−４−フェニルフェニル基、２−フェノキシフェニル基、３−フェノキシフェニル基、４−フェノキシフェニル基、４−フルオロフェニル基、３−フルオロフェニル基、２−フルオロフェニル基、４−クロロフェニル基、３−クロロフェニル基、２−クロロフェニル基、４−ブロモフェニル基、３−ブロモフェニル基、２−ブロモフェニル基、４−クロロ−１−ナフチル基、４−クロロ−２−ナフチル基、６−ブロモ−２−ナフチル基、２，３−ジフルオロフェニル基、２，５−ジフルオロフェニル基、２，６−ジフルオロフェニル基、
【００３７】
３，４−ジフルオロフェニル基、３，５−ジフルオロフェニル基、２，３−ジクロロフェニル基、２，４−ジクロロフェニル基、２，５−ジクロロフェニル基、３，４−ジクロロフェニル基、３，５−ジクロロフェニル基、２，５−ジブロモフェニル基、２，４，６−トリクロロフェニル基、２，４−ジクロロ−１−ナフチル基、１，６−ジクロロ−２−ナフチル基、２−フルオロ−４−メチルフェニル基、２−フルオロ−５−メチルフェニル基、３−フルオロ−２−メチルフェニル基、３−フルオロ−４−メチルフェニル基、２−メチル−４−フルオロフェニル基、２−メチル−５−フルオロフェニル基、３−メチル−４−フルオロフェニル基、２−クロロ−４−メチルフェニル基、２−クロロ−４−メチルフェニル基、２−クロロ−５−メチルフェニル基、２−クロロ−６−メチルフェニル基、２−メチル−３−クロロフェニル基、２−メチル−３−クロロフェニル基、２−メチル−４−クロロフェニル基、３−メチル−４−クロロフェニル基、２−クロロ−４，６−ジメチルフェニル基、２−メトキシ−４−フルオロフェニル基、２−フルオロ−４−メトキシフェニル基、２−フルオロ−４−エトキシフェニル基、２−フルオロ−６−メトキシフェニル基、３−フルオロ−４−エトキシフェニル基、３−クロロ−４−メトキシフェニル基、２−メトキシ−５−クロロフェニル基、３−メトキシ−６−クロロフェニル基、
【００３８】
５−クロロ−２，４−ジメトキシフェニル基、４−アミノフェニル基、４−Ｎ−メチルアミノフェニル基、３−Ｎ−メチルアミノフェニル基、４−Ｎ−エチルアミノフェニル基、３−Ｎ−エチルアミノフェニル基、４−Ｎ−イソプロピルアミノフェニル基、４−Ｎ−ｎ−プロピルアミノフェニル基、４−Ｎ，Ｎ−ジメチルアミノフェニル基、３−Ｎ，Ｎ−ジメチルアミノフェニル基、４−Ｎ，Ｎ−ジエチルアミノフェニル基、３−Ｎ−ジエチルアミノフェニル基、４−Ｎ，Ｎ−ジイソプロピルアミノフェニル基、４−Ｎ，Ｎ−ジ−ｎ−プロピルアミノ基、４−Ｎ，Ｎ−ジ−ｎ−ブチルアミノフェニル基、４−Ｎ，Ｎ−ジイソブチルアミノフェニル基、４−Ｎ，Ｎ−ジベンジルアミノフェニル基、４−Ｎ，Ｎ−ジフェニルアミノフェニル基、３−Ｎ，Ｎ−ジフェニルアミノフェニル基、４−Ｎ−フェニル−Ｎ−（１’−ナフチル）アミノフェニル基、４−Ｎ−フェニル−Ｎ−（２’−ナフチル）アミノフェニル基、４−Ｎ，Ｎ−ジ（１’−ナフチル）アミノフェニル基、４−Ｎ，Ｎ−ジ（２’−ナフチル）アミノフェニル基を挙げることができる。
【００３９】
Ｒ１〜Ｒ８の置換または未置換のアリールオキシ基の具体例としては、上記の置換または未置換のアリール基に酸素原子が結合した形式で表されるアリールオキシ基を挙げることができる。
【００４０】
Ｒ１〜Ｒ８の置換または未置換のアラルキル基の具体例としては、例えば、ベンジル基、α−メチルベンジル基、α−エチルベンジル基、フェネチル基、α−メチルフェネチル基、β−メチルフェネチル基、α，α−ジメチルベンジル基、α，α−ジメチルフェネチル基、４−メチルフェネチル基、４−メチルベンジル基、３−メチルベンジル基、２−メチルベンジル基、４−エチルベンジル基、２−エチルベンジル基、４−イソプロピルベンジル基、４−tert−ブチルベンジル基、２−tert−ブチルベンジル基、４−tert−ペンチルベンジル基、４−シクロヘキシルベンジル基、４−ｎ−オクチルベンジル基、４−tert−オクチルベンジル基、４−アリルベンジル基、４−ベンジルベンジル基、４−フェネチルベンジル基、４−フェニルベンジル基、４−（４’−メチルフェニル）ベンジル基、４−メトキシベンジル基、２−メトキシベンジル基、２−エトキシベンジル基、４−ｎ−ブトキシベンジル基、４−ｎ−ヘプチルオキシベンジル基、４−ｎ−デシルオキシベンジル基、４−ｎ−テトラデシルオキシベンジル基、４−ｎ−ヘプタデシルオキシベンジル基、３，４−ジメトキシベンジル基、４−メトキシメチルベンジル基、４−イソブトキシメチルベンジル基、４−アリルオキシベンジル基、４−ビニルオキシメチルベンジル基、４−ベンジルオキシベンジル基、４−フェネチルオキシベンジル基、４−フェニルオキシベンジル基、３−フェニルオキシベンジル基、
【００４１】
４−ヒドロキシベンジル基、３−ヒドロキシベンジル基、２−ヒドロキシベンジル基、４−ヒドロキシ−３−メトキシベンジル基、４−フルオロベンジル基、２−フルオロベンジル基、４−クロロベンジル基、３−クロロベンジル基、２−クロロベンジル基、３，４−ジクロロベンジル基、２−フルフリル基、ジフェニルメチル基、１−ナフチルメチル基、２−ナフチルメチル基などのアラルキル基を挙げることができる。
【００４２】
Ｒ１〜Ｒ８の置換または未置換のアラルキルオキシ基の具体例としては、例えば、上記の置換または未置換のアラルキル基に酸素原子が結合した形式で表されるアラルキルオキシ基を挙げることができる。
【００４３】
Ｒ１〜Ｒ８の置換または未置換のアミノ基の具体例としては、例えば、アミノ基、Ｎ−メチルアミノ基、Ｎ−エチルアミノ基、Ｎ−ｎ−プロピルアミノ基、Ｎ−イソプロピルアミノ基、Ｎ−ｎ−ブチルアミノ基、Ｎ−イソブチルアミノ基、Ｎ−sec-ブチルアミノ基、Ｎ−tert-ブチルアミノ基、Ｎ−ｎ−ペンチルアミノ基、Ｎ−シクロペンチルアミノ基、Ｎ−ｎ−ヘキシルアミノ基、Ｎ−シクロヘキシルアミノ基、Ｎ−ベンジルアミノ基、Ｎ−フェネチルアミノ基、Ｎ−フェニルアミノ基、Ｎ−（１−ナフチル）アミノ基、Ｎ−（２−ナフチル）アミノ基、Ｎ−（４−フェニルフェニル）アミノ基、Ｎ−（３−フェニルフェニル）アミノ基、Ｎ−（２−フェニルフェニル）アミノ基、Ｎ−（４−メチルフェニル）アミノ基、Ｎ−（２−メチルフェニル）アミノ基、Ｎ−（２−アントラニル）アミノ基、Ｎ−（９−アントラニル）アミノ基、Ｎ，Ｎ−ジメチルアミノ基、Ｎ，Ｎ−ジエチルアミノ基、Ｎ，Ｎ−ジ−ｎ−プロピルアミノ基、Ｎ，Ｎ−ジ−イソプロピルアミノ基、Ｎ，Ｎ−ジ−ｎ−ブチルアミノ基、Ｎ，Ｎ−ジ−イソブチルアミノ基、Ｎ，Ｎ−ジ−sec-ブチルアミノ基、Ｎ，Ｎ−ジ−ｎ−ペンチルアミノ基、Ｎ，Ｎ−ジシクロペンチルアミノ基、Ｎ，Ｎ−ジシクロヘキシルアミノ基、Ｎ，Ｎ−ジベンジルアミノ基、Ｎ，Ｎ−ジフェネチルアミノ基、Ｎ−メチル−Ｎ−エチルアミノ基、Ｎ−メチル−Ｎ−ｎ−プロピルアミノ基、
【００４４】
Ｎ−メチル−Ｎ−イソプロピルアミノ基、Ｎ−メチル−Ｎ−ｎ−ブチルアミノ基、Ｎ−メチル−Ｎ−tert-ブチルアミノ基、Ｎ−メチル−Ｎ−シクロペンチルアミノ基、Ｎ−メチル−Ｎ−シクロヘキシルアミノ基、Ｎ−メチル−Ｎ−ベンジルアミノ基、Ｎ−メチル−Ｎ−フェネチルアミノ基、Ｎ−エチル−Ｎ−tert-ブチルアミノ基、Ｎ−エチル−Ｎ−シクロヘキシルアミノ基、Ｎ−エチル−Ｎ−ベンジルアミノ基、Ｎ−イソプロピル−Ｎ−シクロペンチルアミノ基、Ｎ−イソプロピル−Ｎ−シクロヘキシルアミノ基、Ｎ−イソプロピル−Ｎ−ベンジルアミノ基、Ｎ−tert-ブチル−Ｎ−シクロヘキシルアミノ基、Ｎ−tert-ブチル−Ｎ−ベンジルアミノ基、Ｎ−シクロペンチル−Ｎ−ベンジルアミノ基、Ｎ−シクロヘキシル−Ｎ−ベンジルアミノ基、Ｎ−メチル−Ｎ−フェニルアミノ基、Ｎ−エチル−Ｎ−フェニルアミノ基、Ｎ−シクロヘキシル−Ｎ−フェニルアミノ基、Ｎ，Ｎ−ジフェニルアミノ基、Ｎ，Ｎ−ジ（１−ナフチル）アミノ基、Ｎ，Ｎ−ジ（２−ナフチル）アミノ基、Ｎ，Ｎ−ジ（４−フェニルフェニル）アミノ基、Ｎ，Ｎ−（４−メチルフェニル）アミノ基、Ｎ，Ｎ−ジ（３−メチルフェニル）アミノ基、Ｎ−フェニル−Ｎ−（１−ナフチル）アミノ基、Ｎ−フェニル−Ｎ−（２−ナフチル）アミノ基、Ｎ−フェニル−Ｎ−（４−フェニルフェニル）アミノ基、Ｎ−フェニル−Ｎ−（４−メチルフェニル）アミノ基、Ｎ−（１−ナフチル）−Ｎ−（４’−フェニルフェニル）アミノ基、Ｎ−フェニル−Ｎ−（４−tert-ブチルフェニル）アミノ基、Ｎ−フェニル−Ｎ−（３−tert-ブチルフェニル）基を挙げることができる。
【００４５】
Ｒ１〜Ｒ８の置換または未置換の直鎖、分岐または環状のアルコキシカルボニル基の具体例としては、メトキシカルボニル基、エトキシカルボニル基、ｎ−プロピルオキシカルボニル基、イソプロピルオキシカルボニル基、ｎ−ブチルオキシカルボニル基、イソブチ
ルオキシカルボニル基、tert-ブチルオキシカルボニル基、ｎ−ペンチルオキシカルボニル基、ｎ−ヘキシルオキシカルボニル基、ｎ−ヘプチルオキシカルボニル基、ｎ−オクチルオキシカルボニル基、ｎ−ノニルオキシカルボニル基、ｎ−デシルオキシカルボニル基、シクロペンチルオキシカルボニル基、シクロヘキシルオキシカルボニル基を挙げることができる。
【００４６】
Ｒ１〜Ｒ８の置換または未置換のアリールオキシカルボニル基の具体例としては、フェニルオキシカルボニル基、１−ナフチルオキシカルボニル基、２−ナフチルオキシカルボニル基、４−メチルフェニルオキシカルボニル基、４−フェニルフェニルオキシカルボニル基、２−フェニルフェニルオキシカルボニル基を挙げることができる。
【００４７】
Ｒ１〜Ｒ８の置換または未置換の直鎖、分岐または環状のアルキルカルボニルオキシ基の具体例としては、メチルカルボニルオキシ基、エチルカルボニルオキシ基、ｎ−プロピルカルボニルオキシ基、イソプロピルカルボニルオキシ基、ｎ−ブチルカルボニルオキシ基、イソブチルカルボニルオキシ基、ｎ−ペンチルカルボニルオキシ基、ｎ−ヘキシルカルボニルオキシ基、ｎ−ヘプチルカルボニルオキシ基、ｎ−オクチルカルボニルオキシ基、ｎ−ノニルカルボニルオキシ基、ｎ−デシルカルボニルオキシ基、シクロペンチルカルボニルオキシ基、シクロヘキシルカルボニルオキシ基を挙げることができる。
【００４８】
Ｒ１〜Ｒ８の置換または未置換のアリールカルボニルオキシ基の具体例としては、フェニルカルボニルオキシ基、１−ナフチルカルボニルオキシ基、２−ナフチルカルボニルオキシ基、４−メチルフェニルカルボニルオキシ基、４−フェニルフェニルカルボニルオキシ基、２−フェニルフェニルカルボニルオキシ基を挙げることができる。
【００４９】
Ｒ１〜Ｒ８の置換または未置換のアミノカルボニル基の具体例としては、アミノカルボニル基、Ｎ−メチルアミノカルボニル基、Ｎ−エチルアミノカルボニル基、Ｎ−ｎ−プロピルアミノカルボニル基、Ｎ−イソプロピルアミノカルボニル基、Ｎ−ｎ−ブチルアミノカルボニル基、Ｎ−イソブチルアミノカルボニル基、Ｎ−ｎ−ヘキシルアミノカルボニル基、Ｎ−シクロヘキシルカルボニル基、Ｎ−ｎ−オクチルアミノカルボニル基、Ｎ−ベンジルアミノカルボニル基、Ｎ−フェニルアミノカルボニル基、Ｎ，Ｎ−ジメチルアミノカルボニル基、Ｎ，Ｎ−ジエチルアミノカルボニル基、Ｎ−メチル−Ｎ−エチルアミノカルボニル基、Ｎ−メチル−Ｎ−シクロヘキシルアミノカルボニル基、Ｎ，Ｎ−ジイソプロピルアミノカルボニル基、Ｎ，Ｎ−ジ−ｎ−ヘキシルアミノカルボニル基、Ｎ，Ｎ−ジ−ｎ−オクチルアミノカルボニル基、Ｎ，Ｎ−ジシクロヘキシルカルボニル基、Ｎ，Ｎ−ジベンジルアミノカルボニル基、Ｎ，Ｎ−ジフェニルアミノカルボニル基を挙げることができる。
【００５０】
また、Ｒ１〜Ｒ８隣接する基はそれぞれ互いに結合して環状構造を形成してもよい。ここで環状構造としては、炭素環式芳香族環、複素環式芳香族環、炭素環式脂肪族環および／または複素環式脂肪族環を挙げることができ、また、これらの環状構造は置換基を有していても、未置換であってもよい。好ましくは、炭素環式芳香族環および／または複素環式芳香族環であり、より好ましくは、炭素環式芳香族環を挙げることができる。
【００５１】
一般式（１）で表される１，２−ジヒドロ−１，２−ジアザ−シクロペンタ[cd]フルオランテン誘導体において、Ａｒ１およびＡｒ２は置換または未置換のアリール基を表す。Ａｒ１およびＡｒ２は好ましくは、炭素原子数２〜３０の置換または未置換のアリール基（ヘテロアリール基を含む）であり、より好ましくは、炭素原子数４〜２５の置換または未置換のアリール基（ヘテロアリール基を含む）である。
Ａｒ１およびＡｒ２の具体例としては、例えば、Ｒ１〜Ｒ８の置換または未置換のアリール基の具体例として挙げた、置換または未置換のアリール基を挙げることができる。
【００５２】
また、本発明の一般式（１−Ａ）〜（１−Ｃ）で表される１，２−ジヒドロ−１，２−ジアザ−シクロペンタ[cd]フルオランテン誘導体において、Ｙ１〜Ｙ４は水素原子あるいは置換基を表し、置換基としてはＲ１〜Ｒ８の置換基として挙げた置換基を挙げることができる。
【００５３】
また、Ｙ１〜Ｙ４の隣接する基はそれぞれ互いに結合して環状構造を形成していてもよい。ここで環状構造としては、Ｒ１〜Ｒ８の隣接する基が互いに結合して形成することができる環状構造と同様の意味を表す。
【００５４】
本発明の１，２−ジヒドロ−１，２−ジアザ−シクロペンタ[cd]フルオランテン誘導体の具体例としては、例えば、以下に示す化合物（化４〜化１９）を挙げることができるが本発明はこれらの具体例に限定されるものではない。
【００５５】
【化４】
2005235633.tif 000005
【００５６】
【化５】
2005235633.tif 000006
【００５７】
【化６】
2005235633.tif 000007
【００５８】
【化７】
2005235633.tif 000008
【００５９】
【化８】
2005235633.tif 000009
【００６０】
【化９】
2005235633.tif 000010
【００６１】
【化１０】
2005235633.tif 000011
【００６２】
【化１１】
2005235633.tif 000012
【００６３】
【化１２】
2005235633.tif 000013
【００６４】
【化１３】
2005235633.tif 000014
【００６５】
【化１４】
2005235633.tif 000015
【００６６】
【化１５】
2005235633.tif 000016
【００６７】
【化１６】
2005235633.tif 000017
【００６８】
【化１７】
2005235633.tif 000018
【００６９】
【化１８】
2005235633.tif 000019
【００７０】
【化１９】
2005235633.tif 000020
【００７１】
尚、具体例中、置換基の回転障害により異性体が存在する場合、それらの異性体のうち一種でも、また異性体の混合物でもそれぞれ好適に使用することができる。
【００７２】
本発明の１，２−ジヒドロ−１，２−ジアザ−シクロペンタ[cd]フルオランテン誘導体は、例えば、以下の工程に従い製造することができる。
【００７３】
一般式（１）で表される１，２−ジヒドロ−１，２−ジアザ−シクロペンタ[cd]フルオランテン誘導体の製造−１（化２０）
【００７４】
【化２０】
2005235633.tif 000021
【００７５】
〔式中、Ｒ１〜Ｒ8、Ａｒ１およびＡｒ２は一般式（１）と同様の意味を表し、Ｌ１およびＬ２はハロゲン原子等の脱離基を表す〕
すなわち、一般式（Ａ）で表されるハロゲン化フルオランテン誘導体に、一般式（Ｂ）で表されるヒドラジン誘導体をパラジウム触媒〔例えば、酢酸パラジウム／ジ-tert-ブチルフェニルホスフィン、酢酸パラジウム／トリシクロヘキシルホスフィン、酢酸パラジウム／トリ-tert-ブチルホスフィン、トリス（ジベンジリデンアセトン）ジパラジウム／ジ-tert-ブチル-o-ビフェニルホスフィン〕および塩基（例えば、炭酸ナトリウム、炭酸カリウム、tert-ブトキシナトリウム、tert-ブトキシカリウム）の存在下、反応させることにより一般式（１）で表される１，２−ジヒドロ−１，２−ジアザ−シクロペンタ[cd]フルオランテン誘導体を製造することができる。
【００７６】
一般式（１）で表される１，２−ジヒドロ−１，２−ジアザ−シクロペンタ[cd]フルオランテン誘導体の製造−２（化２１）
【００７７】
【化２１】
2005235633.tif 000022
【００７８】
〔式中、Ｒ１〜Ｒ8、Ａｒ１およびＡｒ２は一般式（１）と同様の意味を表し、Ｌ１、Ｌ２およびＬ３はハロゲン原子等の脱離基を表す〕
また、別法として、Ａｒ１とＡｒ２を順次導入する場合には、一般式（Ａ）で表されるハロゲン化フルオランテン誘導体に、一般式（Ｃ）で表されるヒドラジン誘導体をパラジウム触媒〔例えば、酢酸パラジウム／ジ-tert-ブチルフェニルホスフィン、酢酸パラジウム／トリシクロヘキシルホスフィン、酢酸パラジウム／トリ-tert-ブチルホスフィン、トリス（ジベンジリデンアセトン）ジパラジウム／ジ−tert-ブチル-o-ビフェニルホスフィン〕および塩基（例えば、炭酸ナトリウム、炭酸カリウム、tert-ブトキシナトリウム、tert-ブトキシカリウム）の存在下、反応させることにより、一般式（Ｄ）で表される中間体を得、その後、一般式（Ｅ）で表されるハロゲン化アリール化合物を一般式（Ｄ）で表される中間体と、パラジウム触媒〔例えば、酢酸パラジウム／ジ-tert-ブチルフェニルホスフィン、酢酸パラジウム／トリシクロヘキシルホスフィン、酢酸パラジウム／トリ-tert-ブチルホスフィン、トリス（ジベンジリデンアセトン）ジパラジウム／ジ−tert-ブチ
ル-o-ビフェニルホスフィン〕の存在下、反応させることにより一般式（１）で表される１，２−ジヒドロ−１，２−ジアザ−シクロペンタ[cd]フルオランテン誘導体を製造することができる。
【００７９】
本発明の有機電界発光素子は、一対の電極間に、１，２−ジヒドロ−１，２−ジアザ−シクロペンタ[cd]フルオランテン誘導体を少なくとも１種含有する層を少なくとも一層挟持してなるものである。ここで有機電界発光素子とは、通常一対の電極間に少なくとも１種の有機発光成分を含有する発光層を少なくとも一層挟持してなるものである。
【００８０】
本発明の有機電界発光素子において、１，２−ジヒドロ−１，２−ジアザ−シクロペンタ[cd]フルオランテン誘導体は、発光層、または電荷注入輸送層に含有されていることが好ましく、発光層に含有されていることがより好ましい。
ここで、電荷注入輸送層とは、正孔注入輸送層および電子注入輸送層を表す。
本発明の有機電界発光素子の構成としては、特に限定されるものではないが、例えば、（ＥＬ−１）陽極／正孔注入輸送層／発光層／電子注入輸送層／陰極型素子（図１）、（ＥＬ−２）陽極／正孔注入輸送層／発光層／陰極型素子（図２）、（ＥＬ−３）陽極／発光層／電子注入輸送層／陰極型素子（図３）、（ＥＬ−４）陽極／発光層／陰極型素子（図４）、などを挙げることができる。さらには、発光層を電子注入輸送層で挟み込んだ形の（ＥＬ−５）陽極／正孔注入輸送層／電子注入輸送層／発光層／電子注入輸送層／陰極型素子（図５）とすることもできる。また、（ＥＬ−４）の型の素子構成としては、発光層として発光成分を一層形態で一対の電極間に挟持させた型の素子、（ＥＬ−６）発光層として正孔注入輸送成分、発光成分および電子注入成分を混合させた一層形態で一対の電極間に挟持させた型の素子（図６）、（ＥＬ−７）発光層として正孔注入輸送成分および発光成分を混合させた一層形態で一対の電極間に挟持させた型の素子（図７）、（ＥＬ−８）発光層として発光成分および電子注入成分を混合させた一層形態で一対の電極間に挟持させた型の素子（図８）のいずれであってもよい。
【００８１】
本発明の有機電界発光素子は、これらの素子構成に限定されるものではなく、それぞれの型の素子において、正孔注入輸送層、発光層、電子注入輸送層を複数設けることも可能である。また、それぞれの型の素子において、正孔注入輸送層を発光層との間に、正孔注入輸送成分と発光成分の混合層および／または発光層と電子注入輸送層との間に、発光成分と電子注入輸送成分の混合層を設けることもできる。
【００８２】
好ましい有機電界発光素子の構成は、（ＥＬ−１）型素子、（ＥＬ−２）型素子、（ＥＬ−５）型素子、（ＥＬ−６）型素子または（ＥＬ−７）型素子であり、より好ましくは、（ＥＬ−１）型素子、（ＥＬ−２）型素子または（ＥＬ−７）型素子である。
【００８３】
以下、本発明の有機電界発光素子の構成要素に関し、詳細に説明する。なお、例として（図１）に示す（ＥＬ−１）陽極／正孔注入輸送層／発光層／電子注入輸送層／陰極型素子を取り上げて説明する。
【００８４】
（図１）において、１は基板、２は陽極、３は正孔注入輸送層、４は発光層、５は電子注入輸送層、６は陰極、７は電源を示す。
【００８５】
本発明の有機電界発光素子は基板１に支持されていることが好ましく、基板としては、特に限定されるものではないが、透明ないし半透明である基板が好ましく、材質としては、ソーダライムガラス、ボロシリケートガラス等のガラスおよびポリエステル、ポリカーボネート、ポリスルホン、ポリエーテルスルホン、ポリアクリレート、ポリメチルメタクリレート、ポリプロピレン、ポリエチレン等の透明性高分子が挙げられる。また、半透明プラスチックシート、石英、透明セラミックスあるいはこれらを組み合わせた複合シート
からなる基板を使用することもできる。さらに、基板に、例えば、カラーフィルター膜、色変換膜、誘電体反射膜を組み合わせて、発光色をコントロールすることもできる。
【００８６】
陽極２としては、仕事関数の比較的大きい金属、合金または導電性化合物を電極材料として使用することが好ましい。陽極に使用する電極材料としては、例えば、金、白金、銀、銅、コバルト、ニッケル、パラジウム、バナジウム、タングステン、酸化インジウム（Ｉｎ２Ｏ３）、酸化錫（ＳｎＯ２）、酸化亜鉛、ＩＴＯ（インジウム・チン・オキサイド：Ｉｎｄｉｕｍ  Ｔｉｎ  Ｏｘｉｄｅ）、ポリチオフェン、ポリピロールなどを挙げることができる。これらの電極材料は単独で使用してもよく、あるいは複数併用してもよい。陽極は、これらの電極材料を、例えば、蒸着法、スパッタリング法等の方法により、基板の上に形成することができる。
また、陽極は一層構造であってもよく、あるいは多層構造であってもよい。陽極のシート電気抵抗は、好ましくは、数百Ω以下、より好ましくは、５〜５０Ω程度に設定する。
陽極の厚みは使用する電極材料の材質にもよるが、一般に、５〜１０００ｎｍ程度、より好ましくは、１０〜５００ｎｍ程度に設定する。
【００８７】
正孔注入輸送層３は、陽極からの正孔（ホール）の注入を容易にする機能、および注入された正孔を輸送する機能を有する化合物を含有する層である。
本発明の電界発光素子の正孔注入輸送層は、正孔注入輸送機能を有する化合物（例えば、フタロシアニン誘導体、トリアリールアミン誘導体、トリアリールメタン誘導体、オキサゾール誘導体、ヒドラゾン誘導体、スチルベン誘導体、ピラゾリン誘導体、ポリシラン誘導体、ポリフェニレンビニレンおよびその誘導体、ポリチオフェンおよびその誘導体、ポリ−Ｎ−ビニルカルバゾール、ポリトリアリールアミン誘導体など）を少なくとも1種使用して形成することができる。
これらの正孔注入輸送機能を有する化合物は、単独で使用してもよく、または複数併用してもよい。
【００８８】
正孔注入輸送機能を有するトリアリールアミン誘導体の具体例としては、例えば、４，４’−ビス〔Ｎ−フェニル−Ｎ−（４”−メチルフェニル）アミノ〕−１，１’−ビフェニル、４，４’−ビス〔Ｎ−フェニル−Ｎ−（３”−メチルフェニル）アミノ〕−１，１’−ビフェニル、４，４’−ビス〔Ｎ−フェニル−Ｎ−（３”−メトキシフェニル）アミノ〕−１，１’−ビフェニル、４，４’−ビス〔Ｎ−フェニル−Ｎ−（１”−ナフチル）アミノ〕−１，１’−ビフェニル、３，３’−ジメチル−４，４’−ビス〔Ｎ−フェニル−Ｎ−（３”−メチルフェニル）アミノ〕−１，１’−ビフェニル、１，１−ビス〔４’−［Ｎ，Ｎ−ジ（４”−メチルフェニル）アミノ］フェニル〕シクロヘキサン、９，１０−ビス〔Ｎ−（４’−メチルフェニル）−Ｎ−（４”−ｎ−ブチルフェニル）アミノ〕フェナントレン、３，８−ビス（Ｎ，Ｎ−ジフェニルアミノ）−６−フェニルフェナントリジン、４−メチル−Ｎ，Ｎ−ビス〔４”、４”’−ビス［Ｎ’，Ｎ’−ジ（４−メチルフェニル）アミノ］ビフェニル−４−イル〕アニリン、Ｎ，Ｎ’−ビス〔４−（ジフェニルアミノ）フェニル〕−Ｎ，Ｎ’−ジフェニル−１，３−ジアミノベンゼン、Ｎ，Ｎ’−ビス〔４−（ジフェニルアミノ）フェニル〕−Ｎ，Ｎ’−ジフェニル−１，４−ジアミノベンゼン、５，５”−ビス〔４−（ビス［４−メチルフェニル］アミノ）フェニル−２，２’：５’，２”−ターチオフェン、１，３，５−トリス（ジフェニルアミノ）ベンゼン、４，４’，４”−トリス（Ｎ−カルバゾリイル）トリフェニルアミン、４，４’，４”−トリス〔Ｎ，Ｎ−ビス（４”’−tert−ブチルビフェニル−４””−イル）アミノ〕トリフェニルアミン、１，３，５−トリス〔Ｎ−（４’−ジフェニルアミノフェニル）−Ｎ−フェニルアミノ〕ベンゼンなどを挙げることができる。
【００８９】
本発明の有機電界発光素子においては、１，２−ジヒドロ−１，２−ジアザ−シクロペンタ[cd]フルオランテン誘導体を正孔注入輸送層に使用することができる。
１，２−ジヒドロ−１，２−ジアザ−シクロペンタ[cd]フルオランテン誘導体と正孔注入機能を有する化合物を併用する場合、正孔注入輸送層中に占める１，２−ジヒドロ−１，２−ジアザ−シクロペンタ[cd]フルオランテン誘導体の含有量は、好ましくは、０．１質量％以上、より好ましくは、０．５〜９９．９質量％、さらに好ましくは３〜９７質量％である。
【００９０】
発光層４は、正孔および電子の注入機能、それらの輸送機能、正孔と電子の再結合により励起子を生成させる機能を有する化合物を含有する層である。
発光層は、１，２−ジヒドロ−１，２−ジアザ−シクロペンタ[cd]フルオランテン誘導体および／または他の発光機能を有する化合物を少なくとも一種用いて形成することができる。
【００９１】
１，２−ジヒドロ−１，２−ジアザ−シクロペンタ[cd]フルオランテン誘導体以外の発光機能を有する化合物としては、例えば、アクリドン誘導体、キナクリドン誘導体、ジケトピロロピロール誘導体、多環芳香族化合物〔例えば、ルブレン、アントラセン、テトラセン、ピレン、ペリレン、クリセン、デカサイクレン、コロネン、テトラフェニルシクロペンタジエン、ペンタフェニルシクロペンタジエン、９，１０−ジフェニルアントラセン、９，１０−ビス（フェニルエチニル）アントラセン、１，４−ビス（９’−エチニルアントセニル）ベンゼン、４，４’−ビス（９”−エチニルアントラセニル）ビフェニル、ジベンゾ［f,f］ジインデノ［1,2,3-cd：1',2',3'-lm］ペリレン誘導体〕、トリアリールアミン誘導体（例えば、正孔注入輸送機能を有する化合物として前述した化合物を挙げることができる）、有機金属錯体〔例えば、トリス（８−キノリノラート）アルミニウム、ビス（１０−ベンゾ［ｈ］キノリノラート）ベリリウム、２−（２’−ヒドロキシフェニル）ベンゾチアゾールの亜鉛塩、４−ヒドロキシアクリジンの亜鉛塩、３−ヒドロキシフラボンの亜鉛塩、
【００９２】
５−ヒドロキシフラボンのベリリウム塩、５−ヒドロキシフラボンのアルミニウム塩〕、スチルベン誘導体〔例えば、１，１，４，４−テトラフェニル−１，３−ブタジエン、４，４’−ビス（２，２−ジフェニルビニル）ビフェニル、４，４’−ビス［（１，１，２−トリフェニル）エテニル］ビフェニル〕、クマリン誘導体（例えば、クマリン１、クマリン６、クマリン７、クマリン３０、クマリン１０６、クマリン１３８、クマリン１５１、クマリン１５２、クマリン１５３、クマリン３０７、クマリン３１１、クマリン３１４、クマリン３３４、クマリン３３８、クマリン３４３、クマリン５００）、ピラン誘導体（例えば、ＤＣＭ１、ＤＣＭ２）、オキサゾン誘導体（例えば、ナイルレッド）、ベンゾチアゾール誘導体、ベンゾオキサゾール誘導体、ベンゾイミダゾール誘導体、ピラジン誘導体、ケイ皮酸エステル誘導体、ポリ−Ｎ−ビニルカルバゾールおよびその誘導体、ポリチオフェンおよびその誘導体、ポリフェニレンおよびその誘導体、ポリフルオレンおよびその誘導体、ポリフェニレンビニレンおよびその誘導体、ポリビフェニレンビニレンおよびその誘導体、ポリターフェニレンビニレンおよびその誘導体、ポリナフチレンビニレンおよびその誘導体、ポリチエニレンビニレンおよびその誘導体等を挙げることができる。
【００９３】
１，２−ジヒドロ−１，２−ジアザ−シクロペンタ[cd]フルオランテン誘導体以外の発光機能を有する化合物としては、アクリドン誘導体、キナクリドン誘導体、多環芳香族化合物、トリアリールアミン誘導体、有機金属錯体およびスチルベン誘導体が好ましく、多環芳香族化合物、有機金属錯体がより好ましい。
【００９４】
本発明の有機電界発光素子は、発光層に１，２−ジヒドロ−１，２−ジアザ−シクロペンタ[cd]フルオランテン誘導体を含有していることが好ましい。
【００９５】
１，２−ジヒドロ−１，２−ジアザ−シクロペンタ[cd]フルオランテン誘導体と１，２
−ジヒドロ−１，２−ジアザ−シクロペンタ[cd]フルオランテン誘導体以外の発光機能を有する化合物を併用する場合、発光層中に占める１，２−ジヒドロ−１，２−ジアザ−シクロペンタ[cd]フルオランテン誘導体の割合は、好ましくは、０．００１〜９９．９９９質量％に調節する。
また、発光層は、J.Appl.Phys.,65、3610（1989）、特開平５−２１４３３２号公報に記載のように、ホスト化合物とゲスト化合物（ドーパント）から形成することも可能である。
１，２−ジヒドロ−１，２−ジアザ−シクロペンタ[cd]フルオランテン誘導体は発光層のホスト化合物として使用することもでき、またゲスト化合物として使用することも可能である。１，２−ジヒドロ−１，２−ジアザ−シクロペンタ[cd]フルオランテン誘導体をホスト化合物として発光層を形成する場合、ゲスト化合物としては、例えば、前記のほかの発光機能を有する化合物を挙げることができ、中でも多環芳香族化合物は好ましい。
【００９６】
１，２−ジヒドロ−１，２−ジアザ−シクロペンタ[cd]フルオランテン誘導体をホスト化合物として発光層を形成する場合、１，２−ジヒドロ−１，２−ジアザ−シクロペンタ[cd]フルオランテン誘導体に対して、ゲスト化合物は、好ましくは、０．００１から４０質量％、より好ましくは、０．０１〜３０質量％、さらに好ましくは０．１〜２０質量％使用する
また、発光層は、１，２−ジヒドロ−１，２−ジアザ−シクロペンタ[cd]フルオランテン誘導体をゲスト化合物として、１，２−ジヒドロ−１，２−ジアザ−シクロペンタ[cd]フルオランテン誘導体以外の発光機能を有する化合物を少なくとも１種ホスト化合物として使用して形成することもできる。
１，２−ジヒドロ−１，２−ジアザ−シクロペンタ[cd]フルオランテン誘導体をゲスト化合物として、他の発光機能を有する化合物と併用する場合、発光層中に占める１，２−ジヒドロ−１，２−ジアザ−シクロペンタ[cd]フルオランテン誘導体は、好ましくは、好ましくは、０．００１から４０質量％、より好ましくは、０．０１〜３０質量％、さらに好ましくは０．１〜２０質量％である。
【００９７】
１，２−ジヒドロ−１，２−ジアザ−シクロペンタ[cd]フルオランテン誘導体を、ゲスト化合物として用いて発光層を形成する場合、ホスト化合物としては、多環芳香族化合物、トリアリールアミン誘導体、有機金属錯体およびスチルベン誘導体が好ましく、多環芳香族化合物、有機金属錯体がより好ましい。
【００９８】
電子注入輸送層５は、陰極からの電子の注入を容易にする機能および／または注入された電子を輸送する機能を有する化合物を含有する層である。
電子注入輸送層に使用される電子注入機能を有する化合物としては、例えば、有機金属錯体、オキサジアゾール誘導体、トリアゾール誘導体、トリアジン誘導体、ペリレン誘導体、キノリン誘導体、キノキサリン誘導体、ジフェニルキノン誘導体、ニトロ置換フルオレノン誘導体、チオピランジオキサイド誘導体などを挙げることができる。また、有機金属錯体としては、例えば、トリス（８−キノリノラート）アルミニウム等の有機アルミニウム錯体、ビス（１０−ベンゾ［ｈ］キノリノラート）ベリリウム等の有機ベリリウム錯体、５−ヒドロキシフラボンのベリリウム塩、５−ヒドロキシフラボンのアルミニウム塩等を挙げることができる。好ましくは、有機アルミニウム錯体であり、より好ましくは、置換または未置換の８−キノリノラート配位子を有する有機アルミニウム錯体である。  置換または未置換の８−キノリラート配位子を有する有機アルミニウム錯体としては、例えば、一般式（ａ）〜一般式（ｃ）で表される化合物を挙げることができる。
【００９９】
（Ｑ）３−Ａｌ        （ａ）
（式中、Ｑは置換または未置換の８−キノリノラート配位子を表す）
（Ｑ）２−Ａｌ−Ｏ−Ｌ’      （ｂ）
（式中、Ｑは置換または未置換の８−キノリノラート配位子を表し、Ｏ−Ｌ’はアリールオキシ配位子を表し、Ｌ’は炭素数６〜２４のアリール基を表す）
（Ｑ）２−Ａｌ−Ｏ−Ａｌ−（Ｑ）２        （ｃ）
（式中、Ｑは置換または未置換の８−キノリノラート配位子を表す）
置換または未置換の８−キノリノラート配位子を有する有機アルミニウム錯体の具体例としては、例えば、トリス（８−キノリノラート）アルミニウム、トリス（４−メチル−８−キノリノラート）アルミニウム、トリス（５−メチル−８−キノリノラート）アルミニウム、トリス（３，４−ジメチル−８−キノリノラート）アルミニウム、トリス（４，５−ジメチル−８−キノリノラート）アルミニウム、トリス（４，６−ジメチル−８−キノリノラート）アルミニウム、
ビス（２−メチル−８−キノリノラート）（フェノラート）アルミニウム、ビス（２−メチル−８−キノリノラート）（２−メチルフェノラート）アルミニウム、ビス（２−メチル−８−キノリノラート）（３−メチルフェノラート）アルミニウム、ビス（２−メチル−８−キノリノラート）（４−メチルフェノラート）アルミニウム、ビス（２−メチル−８−キノリノラート）（２−フェニルフェノラート）アルミニウム、ビス（２−メチル−８−キノリノラート）（３−フェニルフェノラート）アルミニウム、ビス（２−メチル−８−キノリノラート）（４−フェニルフェノラート）アルミニウム、ビス（２−メチル−８−キノリノラート）（２，３−ジメチルフェノラート）アルミニウム、
【０１００】
ビス（２−メチル−８−キノリノラート）（２，６−ジメチルフェノラート）アルミニウム、ビス（２−メチル−８−キノリノラート）（３，４−ジメチルフェノラート）アルミニウム、ビス（２−メチル−８−キノリノラート）（３，５−ジメチルフェノラート）アルミニウム、ビス（２−メチル−８−キノリノラート）（３，５−ジ-tert−ブチルフェノラート）アルミニウム、ビス（２−メチル−８−キノリノラート）（２，６−ジフェニルフェノラート）アルミニウム、ビス（２−メチル−８−キノリノラート）（２，４，６−トリフェニルフェノラート）アルミニウム、ビス（２−メチル−８−キノリノラート）（２，４，６−トリメチルフェノラート）アルミニウム、ビス（２−メチル−８−キノリノラート）（２，４，５，６−テトラメチルフェノラート）アルミニウム、ビス（２−メチル−８−キノリノラート）（１−ナフトラート）アルミニウム、ビス（２−メチル−８−キノリノラート）（２−ナフトラート）アルミニウム、
【０１０１】
ビス（２，４−ジメチル−８−キノリノラート）（２−フェニルフェノラート）アルミニウム、ビス（２，４−ジメチル−８−キノリノラート）（３−フェニルフェノラート）アルミニウム、ビス（２，４−ジメチル−８−キノリノラート）（４−フェニルフェノラート）アルミニウム、ビス（２，４−ジメチル−８−キノリノラート）（３，５−ジメチルフェノラート）アルミニウム、ビス（２，４−ジメチル−８−キノリノラート）（３，５−ジ-tert−ブチルフェノラート）アルミニウム、
【０１０２】
ビス（２−メチル−８−キノリノラート）アルミニウム−μ−オキソ−ビス（２−メチル−８−キノリノラート）アルミニウム、ビス（２，４−ジメチル−８−キノリノラート）アルミニウム−μ−オキソ−ビス（２，４−ジメチル−８−キノリノラート）アルミニウム、ビス（２−メチル−４−エチル−８−キノリノラート）アルミニウム−μ−オキソ−ビス（２−メチル−４−エチル−８−キノリノラート）アルミニウム、ビス（２−メチル−４−メトキシ−８−キノリノラート）アルミニウム−μ−オキソ−ビス（２−メチル−４−メトキシ−８−キノリノラート）アルミニウム、ビス（２−メチル−５−シアノ−８−キノリノラート）アルミニウム−μ−オキソ−ビス（２−メチル−５−シアノ−８−キノリノラート）アルミニウム、ビス（２−メチル−５−トリフルオロメチル−８−キノリノラート）アルミニウム−μ−オキソ−ビス（２−メチル−５−トリフルオロメチル−８−キノリノラート）アルミニウムを挙げることができる。
【０１０３】
電子注入機能を有する化合物は単独で使用してもよく、また複数併用してもよい。
本発明の有機電界発光素子は、１，２−ジヒドロ−１，２−ジアザ−シクロペンタ[cd]フルオランテン誘導体を電子注入輸送層に使用することができる。
１，２−ジヒドロ−１，２−ジアザ−シクロペンタ[cd]フルオランテン誘導体と電子注入機能を有する化合物を併用する場合、電子注入輸送層中に占める１，２−ジヒドロ−１，２−ジアザ−シクロペンタ[cd]フルオランテン誘導体の含有量は、好ましくは、０．１質量％以上、より好ましくは、０．５〜９９．９質量％、さらに好ましくは３〜９７質量％である。
【０１０４】
本発明の有機電界発光素子においては、電子注入輸送層と陰極との間にさらに、電子注入効率を上げる目的で、ＬｉＦ、ＭｇＦ等の金属フッ化物、酢酸リチウム、プロピオン酸リチウム、安息香酸リチウム等の有機化合物のリチウム塩による中間層を形成することもできる。
陰極６としては、比較的仕事関数の小さい金属、合金または導電性化合物を電極材料として使用することが好ましい。陰極に使用する電極材料としては、例えば、リチウム、リチウム−インジウム合金、ナトリウム、ナトリウム−カリウム合金、カルシウム、マグネシウム、マグネシウム−銀合金、マグネシム−インジウム合金、インジウム、ルテニウム、チタニウム、マンガン、イットリウム、アルミニウム、アルミニウム−リチウム合金、アルミニウム−カルシウム合金、アルミニウム−マグネシウム合金、グラファイト薄を挙げることができる。これらの電極材料は単独で使用してもよく、また複数併用してもよい。
【０１０５】
陰極はこれらの電極材料を、例えば、蒸着法、スパッタリング法、イオン蒸着法、イオンプレーティング法、クラスターイオンビーム法により電子注入輸送層の上に形成することができる。
また、陰極は一層構造であってもよく、多層構造であってもよい。陰極のシート電気抵抗は数百Ω以下とするのが好ましい。陰極の厚みは、使用する電極材料にもよるが、通常５〜１０００ｎｍ、好ましくは、１０〜５００ｎｍとする。本発明の有機電界発光素子の発光を効率よく取り出すために、陽極または陰極の少なくとも一方の電極は、透明ないし半透明であることが好ましく、一般に、発光光の透過率が７０％以上となるように陽極または陰極の材料、厚みを設定することが好ましい。
【０１０６】
また、本発明の有機電界発光素子は、正孔注入輸送層、発光層および電子注入輸送層の少なくとも一層中に、一重項酸素クエンチャーを含有していてもよい。一重項酸素クエンチャーとしては、特に限定されるものではないが、例えば、ルブレン、ニッケル錯体、ジフェニルイソベンゾフランが挙げられ、好ましくは、ルブレンである。
【０１０７】
一重項酸素クエンチャーが含有されている層としては、特に限定されるものではないが、好ましくは、発光層または正孔注入輸送層であり、より好ましくは、正孔注入輸送層である。尚、正孔注入輸送層に一重項酸素クエンチャーを含有させる場合、正孔注入輸送層中に均一に含有させてもよく、正孔注入輸送層と隣接する層（例えば、発光層、発光機能を有する電子注入輸送層）の近傍に含有させてもよい。
一重項酸素クエンチャーの含有量としては、含有される層（例えば、正孔注入輸送層）を構成する全体量の０．０１〜５０質量％、好ましくは、０．０５〜３０質量％、より好ましくは、０．１〜２０質量％である。
【０１０８】
正孔注入輸送層、発光層、電子注入輸送層の形成方法に関しては、特に限定されるものではなく、例えば、真空蒸着法、イオン化蒸着法、溶液塗布法（例えば、スピンコート法、キャスト法、デイップコート法、バーコート法、ロールコート法、ラングミュア・ブロジェット法、インクジェット法）を使用することができる。真空蒸着法により正孔注入輸送層、発光層、電子注入輸送層等の各層を形成する場合、真空蒸着の条件は、特に限定さ
れるものではないが、通常、１０−３Ｐａ程度以下の真空下で、５０〜５００℃程度のボート温度（蒸着源温度）、−５０〜３００℃程度の基板温度で、０．００５〜５０ｎｍ／sec程度の蒸着速度で実施することが好ましい。この場合、正孔注入輸送層、発光層、電子注入輸送層等の各層は、真空下で、連続して形成することが好ましい。連続で形成することにより諸特性に優れた有機電界発光素子を製造することが可能となる。真空蒸着法により、正孔注入輸送層、発光層、電子注入輸送層等の各層を、複数の化合物を使用して形成する場合、化合物を入れた各ボートを個別に温度制御して、共蒸着することが好ましい。
【０１０９】
溶液塗布法により各層を形成する場合、各層を形成する成分あるいはその成分とバインダー樹脂等とを、溶媒に溶解または分散させて塗布液とする。溶媒としては、例えば、有機溶媒（ヘキサン、オクタン、デカン、トルエン、キシレン、エチルベンゼン、１−メチルナフタレン等の炭化水素系溶媒、アセトン、メチルエチルケトン、メチルイソブチルケトン、シクロヘキサノン等のケトン系溶媒、ジクロロメタン、クロロホルム、テトラクロロメタン、ジクロロエタン、トリクロロエタン、テトラクロロエタン、クロロベンゼン、ジクロロベンゼン、クロロトルエン等のハロゲン化炭化水素系溶媒、酢酸エチル、酢酸ブチル、酢酸アミル、乳酸エチル等のエステル系溶媒、メタノール、プロパノール、ブタノール、ペンタノール、ヘキサノール、シクロヘキサノール、メチルセロソルブ、エチルセロソルブ、エチレングリコール等のアルコール系溶媒、ジブチルエーテル、テトラヒドロフラン、ジオキサン、ジメトキシエタン、アニソール等のエーテル系溶媒、Ｎ，Ｎ−ジメチルホルムアミド、Ｎ，Ｎ−ジメチルアセトアミド、１−メチル−２−ピロリドン、１，３−ジメチル−２−イミダゾリジノン、ジメチルスルホキシド等の極性溶媒）、水を挙げることができる。溶媒は単独で使用してもよく、また複数併用してもよい。
正孔注入輸送層、発光層、電子注入輸送層の各層の成分を溶媒に分散させる場合には、分散方法として、例えば、ボールミル、サンドミル、ペイントシェーカー、アトライター、ホモジナイザー等を使用して微粒子状に分散する方法を使用することができる。
【０１１０】
また、正孔注入輸送層、発光層、電子注入輸送層等の各層に使用しうるバインダー樹脂としては、ポリ−Ｎ−ビニルカルバゾール、ポリアリーレート、ポリスチレン、ポリエステル、ポリシロキサン、ポリメチルメタクリレート、ポリメチルアクリレート、ポリエーテル、ポリカーボネート、ポリアミド、ポリイミド、ポリアミドイミド、ポリパラキシレン、ポリエチレン、ポリフェニレンオキサイド、ポリエーテルスルホン、ポリアニリンおよびその誘導体、ポリチオフェンおよびその誘導体、ポリフェニレンビニレンおよびその誘導体、ポリフルオレンおよびその誘導体、ポリチエニレンビニレンおよびその誘導体などの高分子化合物を挙げることができる。バインダー樹脂は単独で使用してもよく、また、複数併用してもよい。塗布液の濃度は、特に限定されるものではないが、実施する塗布法により所望の厚みを作製するに適した濃度範囲に設定することができ、通常、０．１〜５０質量％、好ましくは、１〜３０質量％に設定する。バインダー樹脂を使用する場合、その使用量は特に限定されるものではないが、通常、正孔注入輸送層、発光層、電子注入輸送層等の各層を形成する成分とバインダー樹脂の総量に対してバインダー樹脂の含有率が（一層型の素子を形成する場合には各成分の総量に対して）、５〜９９．９質量％、好ましくは、１０〜９９質量％となるように使用する。
正孔注入輸送層、発光層、電子注入輸送層等の各層の膜厚は、特に限定されるものではないが、通常、５ｎｍ〜５μｍとする。
【０１１１】
また、上記の条件で作製した本発明の有機電界発光素子は、酸素や水分等との接触を防止する目的で、保護層（封止層）を設けたり、また、素子を不活性物質中（例えば、パラフィン、流動パラフィン、シリコンオイル、フルオロカーボン油、ゼオライト含有フルオロカーボン油）に封入して保護することができる。保護層に使用する材料としては、例えば、有機高分子材料（例えば、フッ素樹脂、エポキシ樹脂、シリコーン樹脂、エポキシシ
リコーン樹脂、ポリスチレン、ポリエステル、ポリカーボネート、ポリアミド、ポリイミド、ポリアミドイミド、ポリパラキシレン、ポリエチレン、ポリフェニレンオキサイド）、無機材料（例えば、ダイアモンド薄膜、アモルファスシリカ、電気絶縁性ガラス、窒化珪素／酸化珪素混合体、金属酸化物、金属窒化物、金属炭化物、金属硫化物）、さらには、光硬化性樹脂を挙げることができる。保護層に使用する材料は単独で使用してもよく、また複数併用してもよい。保護層は一層構造であってもよく、また多層構造であってもよい。
また、本発明の有機電界発光素子は、電極に保護膜として金属酸化物膜（例えば、酸化アルミニウム膜）、金属フッ化膜を設けることもできる。
【０１１２】
本発明の有機電界発光素子は、陽極の表面に界面層（中間層）を設けることもできる。界面層の材質としては、有機リン化合物、ポリシラン、芳香族アミン誘導体、フタロシアニン誘導体等を挙げることができる。
さらに、電極、例えば、陽極はその表面を、酸、アンモニア／過酸化水素、ＵＶ／オゾンあるいは酸素プラズマで処理して使用することもできる。
【０１１３】
本発明の有機電界発光素子は、通常、直流駆動型の素子として使用することができるが、交流駆動型の素子としても使用することができる。また、本発明の有機電界発光素子は、セグメント型、単純マトリック駆動型等のパッシブ駆動型であってもよく、ＴＦＴ（薄膜トランジスタ）型、ＭＩＭ（メタル−インスレーター−メタル）型等のアクティブ駆動型であってもよい。駆動電圧は通常、２〜３０Ｖである。本発明の有機電界発光素子は、パネル型光源（例えば、時計、液晶パネル等のバックライト）、各種の発光素子（例えば、ＬＥＤ等の発光素子の代替）、各種の表示素子〔例えば、情報表示素子（パソコンモニター、携帯電話・携帯端末用表示素子）〕、照明、各種の標識、各種のセンサーなどに使用することができる。
【０１１４】
以下、実施例を挙げて本発明をさらに詳細に説明するが、本発明は、以下の実施例に限定されるものではない。
【実施例１】
【０１１５】
例示化合物Ａ−１の製造
３，４−ジブロモフルオランテン３．６０ｇ（０．０１０モル）、Ｎ，Ｎ’−ジフェニルヒドラジン２．０２ｇ（０．０１１モル）、tert-ブトキシナトリウム２．１２ｇ（０．０２２モル）、酢酸パラジウム２２ｍｇおよび混合キシレン３０ｍｌよりなる混合物に、アルゴン気流下で、ジ-tert-ブチルフェニルホスフィン６７ｍｇを添加し、１１０℃に加熱し、同温度で６時間加熱攪拌を行った。その後、反応混合物を室温に冷却し、不溶物を濾別し、濾液を水洗した。有機相から混合キシレンを減圧下に留去し、残渣をシリカゲルカラムクロマトグラフィーにより精製し、さらにシクロヘキサンから再結晶して、目的とする例示化合物Ａ−１の化合物を橙色結晶として２．８ｇ得た。
さらにこの化合物を２９０℃、２．０×１０−４Ｐａの条件で昇華精製した。
【実施例２】
【０１１６】
例示化合物Ａ−２の製造
３，４−ジブロモフルオランテン３．６０ｇ（０．０１０モル）、Ｎ−フェニルヒドラジン１．１９ｇ（０．０１１モル）、tert-ブトキシナトリウム２．１２ｇ（０．０２２モル）、酢酸パラジウム２２ｍｇおよび混合キシレン３０ｍｌよりなる混合物に、アルゴン気流下で、ジ−tert-ブチルフェニルホスフィン６７ｍｇを添加し、１１０℃に加熱し、同温度で８時間加熱攪拌を行った。その後、反応混合物を室温に冷却し、不溶物を濾別し、濾液を水洗した。有機相から混合キシレンを減圧下に留去し、残渣をトルエン／イソプロパノールから再結晶し、１−Ｎ−フェニル−１，２−ジヒドロ−１，２−ジアザ−シク
ロペンタ[cd]フルオランテンを２．１ｇ得た。次に、１−Ｎ−フェニル−１，２−ジヒドロ−１，２−ジアザ−シクロペンタ[cd]フルオランテン１．５３ｇ（０．００５モル）、１−ヨードナフタレン１．２７ｇ（０．００５モル）、tert-ブチルナトリウム０．５８ｇ（０．００６モル）、酢酸パラジウム５．６ｍｇおよび混合キシレン２０ｍｌよりなる混合物に、アルゴン気流下で、ジ−tert-ブチルフェニルホスフィン１７ｍｇを添加し、１１０℃に加熱し、同温度で１０時間加熱攪拌を行った。その後、反応混合物を室温に冷却し、不溶物を濾別し、濾液を水洗した。有機相から混合キシレンを減圧下に留去し、残渣をシリカゲルカラムクロマトグラフィーにより精製し、さらにトルエン／ｎ−ヘキサンから再結晶して例示化合物Ａ−２の化合物を橙色結晶として１．２４ｇ得た。
さらにこの化合物を、３００℃、１．５×１０−４Ｐａの条件で昇華精製した。
【実施例３】
【０１１７】
例示化合物Ａ−１７の製造
実施例２において、１−ヨードナフタレン１．２７ｇ（０．００５モル）を使用する代わりに、９−ブロモフェナントレン１．２９ｇ（０．００５モル）を使用した以外は、実施例２に記載の操作に従い、例示化合物Ａ−１７の化合物を橙色結晶として１．３２ｇ得た。
さらにこの化合物を、３２０℃、２．０×１０−４Ｐａの条件で昇華精製した。
【実施例４】
【０１１８】
例示化合物Ａ−２１の製造
実施例１において、３，４−ジブロモフルオランテン３．６０ｇ（０．０１０モル）を使用する代わりに、３，４−ジブロモ−７，１０−ジフェニルフルオランテン５．１２ｇ（０．０１０モル）を使用した以外は、実施例１に記載の操作に従い、例示化合物Ａ−２１の化合物を橙色結晶として３．２２ｇ得た。
さらにこの化合物を、３５０℃、２．０×１０−４Ｐａの条件で昇華精製した。
【実施例５】
【０１１９】
例示化合物Ｂ−１３の製造
実施例１において、３，４−ジブロモフルオランテン３．６０ｇ（０．０１０モル）およびＮ，Ｎ’−ジフェニルヒドラジン２．０２ｇ（０．０１１モル）を使用する代わりに、７，８−ジブロモ−１，４−ジフェニルベンゾ［ａ］アセアンスリレン５．６２ｇ（０．０１０モル）およびＮ，Ｎ’−ジ（１’−ナフチル）ヒドラジン３．１２ｇ（０．０１１モル）を使用した以外は、実施例１に記載の操作に従い、例示化合物Ｂ−１３の化合物を橙色結晶として３．３０ｇ得た。
さらにこの化合物を３９０℃、１．４×１０−４Ｐａの条件で昇華精製した。
【実施例６】
【０１２０】
例示化合物Ｄ−１の製造
実施例１において、３，４−ジブロモフルオランテン３．６０ｇ（０．０１０モル）を使用する代わりに、３，４−ジブロモベンゾ[k]フルオランテン４．１０ｇ（０．０１０モル）を使用した以外は、実施例１に記載の操作に従い、例示化合物Ｄ−１の化合物を橙色結晶として２．８４ｇ得た。
さらにこの化合物を３４０℃、１．４×１０−４Ｐａの条件で昇華精製した。
【実施例７】
【０１２１】
例示化合物Ｄ−５の製造
実施例１において、３，４−ジブロモフルオランテン３．６０ｇ（０．０１０モル）およびＮ，Ｎ’−ジフェニルヒドラジン２．０２ｇ（０．０１１モル）を使用する代わりに、３，４−ジブロモベンゾ[k]フルオランテン４．１０ｇ（０．０１０モル）およびＮ，Ｎ
’−ジ（４’−フェニルフェニル）ヒドラジン３．７０ｇ（０．０１１モル）使用した以外は、実施例１に記載の操作に従い、例示化合物Ｄ−５の化合物を橙色結晶として３．４２ｇ得た。
さらにこの化合物を３８０℃、２．２×１０−４Ｐａの条件で昇華精製した。
【実施例８】
【０１２２】
例示化合物Ｄ−１９の製造
実施例２において、３，４−ジブロモフルオランテン３．６０ｇ（０．０１０モル）および１−ヨードナフタレン１．２７ｇ（０．００５モル）を使用する代わりに、３，４−ジブロモベンゾ[k]フルオランテン４．１０ｇ（０．０１０モル）および４−フェノキシヨードベンゼン１．４８ｇ（０．００５モル）を使用した以外は、実施例２に記載の操作に従い、例示化合物Ｄ−１９の化合物を橙色結晶として１．２６ｇ得た。
さらにこの化合物を３６０℃、２．０×１０−４Ｐａの条件で昇華精製した。
【実施例９】
【０１２３】
例示化合物Ｄ−２１の製造
実施例１において、３，４−ジブロモフルオランテン３．６０ｇ（０．０１０モル）を使用する代わりに、３，４−ジブロモ−７，１２−ジフェニルベンゾ[k]フルオランテン５．６２ｇ（０．０１０モル）を使用した以外は、実施例１に記載の操作に従い、例示化合物Ｄ−２１の化合物を橙色結晶として３．１８ｇ得た。
さらにこの化合物を３９０℃、１．８×１０−４Ｐａの条件で昇華精製した。
【実施例１０】
【０１２４】
例示化合物Ｄ−２６の製造
実施例１において、３，４−ジブロモフルオランテン３．６０ｇ（０．０１０モル）を使用する代わりに、７−（ビフェニル−２’−イル）−３，４−ジブロモ−１２−フェニルベンゾ[k]フルオランテン６．３８ｇ（０．０１０モル）を使用した以外は、実施例１に記載の操作に従い、例示化合物Ｄ−２６の化合物を３．０９ｇ得た。
さらにこの化合物を４１０℃、１．８×１０−４Ｐａの条件で昇華精製した。
【実施例１１】
【０１２５】
例示化合物Ｄ−３１の製造
実施例２において、３，４−ジブロモフルオランテン３．６０ｇ（０．０１０モル）および１−ヨードナフタレン１．２７ｇ（０．００５モル）を使用する代わりに、７−（ビフェニル−２’−イル）−３，４−ジブロモ−１２−フェニルベンゾ[k]フルオランテン６．３８ｇ（０．０１０モル）および９−ブロモフェナントレン１．２９ｇ（０．００５モル）を使用した以外は、実施例２に記載の操作に従い、例示化合物Ｄ−３１の化合物を橙色結晶として１．３６ｇ得た。
さらにこの化合物を４２０℃、１．２×１０−４Ｐａの条件で昇華精製した。
【実施例１２】
【０１２６】
例示化合物Ｄ−３３の製造
実施例１において、３，４−ジブロモフルオランテン３．６０ｇ（０．０１０モル）を使用する代わりに、３，４−ジブロモ−７，８，１１，１２−テトラフェニルベンゾ[k]フルオランテン７．１４ｇ（０．０１０モル）を使用した以外は、実施例１に記載の操作に従い、例示Ｄ−３３を橙色結晶として３．７
２ｇ得た。
さらにこの化合物を４５０℃、１．５×１０−４Ｐａの条件で昇華精製した。
【実施例１３】
【０１２７】
有機電界発光素子の作製
厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した後、蒸着装置の基板ホルダーに固定し、蒸着槽を１．０×１０−４Ｐａに減圧した。先ず、ＩＴＯ透明電極上に、Ｎ，Ｎ’−ジフェニル−Ｎ，Ｎ’−ジ（１”−ナフチル）−４，４’−ジアミノ−１，１’−ビフェニルを蒸着速度０．２ｎｍ／ｓｅｃで７５ｎｍの厚さに蒸着し、正孔注入輸送層を形成した。次に、正孔注入輸送層の上にトリス（８−キノリノール）アルミニウムと例示化合物Ａ−２１の化合物を蒸着速度０．２ｎｍ／ｓｅｃで４０ｎｍの厚さに共蒸着（質量比９３：７）して発光層を形成し、さらに、トリス（８−キノリノール）アルミニウムを蒸着速度０．２ｎｍ／ｓｅｃで２５ｎｍの厚さに蒸着し、電子注入輸送層を形成した。その上に、陰極としてマグネシウムと銀を蒸着速度１．０ｎｍ／ｓｅｃで２００ｎｍの厚さに共蒸着（質量比９：１）し、さらに、銀を蒸着速度１．０ｎｍ／ｓｅｃで１００ｎｍの厚さに蒸着して有機電界発光素子を作製した。尚、蒸着は、蒸着槽の減圧状態を保ったまま実施した。作製した有機電界発光素子に直流電圧を印加し、室温、乾燥雰囲気下、１０ｍＡ／ｃｍ２の定電流密度で連続駆動させた。初期には、５．６Ｖ、輝度６５０ｃｄ／ｍ２の緑色の発光が確認された。輝度の半減寿命は７５００時間であった。
【実施例１４】
【０１２８】
：有機電界発光素子の作製
実施例１３において、発光層の形成に際して、例示化合物Ａ−２１の化合物を使用する代わりに、例示化合物Ａ−２化合物を使用した以外は、実施例１３に記載の操作に従い有機電界発光素子の作製を行い、作製した素子に直流電圧を印加し、室温乾燥雰囲気下、１０ｍＡ／ｃｍ２の定電流密度で連続駆動させた。結果を表１にまとめた。
【実施例１５】
【０１２９】
：有機電界発光素子の作製
実施例１３において、発光層の形成に際して、例示化合物Ａ−２１の化合物を使用する代わりに、例示化合物Ａ−１７の化合物を使用した以外は、実施例１３に記載の操作に従い、有機電界発光素子の作製を行い、作製した素子に直流電圧を印加し、室温乾燥雰囲気下、１０ｍＡ／ｃｍ２の定電流密度で連続駆動させた。結果を表１にまとめた。
【実施例１６】
【０１３０】
：有機電界発光素子の作製
実施例１３において、発光層の形成に際して、例示化合物Ａ−２１の化合物を使用する代わりに、例示化合物Ｂ−１３の化合物を使用した以外は、実施例１３に記載の操作に従い、有機電界発光素子の作製を行い、作製した素子に直流電圧を印加し、室温乾燥雰囲気下、１０ｍＡ／ｃｍ２の定電流密度で連続駆動させた。結果を表１にまとめた。
【実施例１７】
【０１３１】
：有機電界発光素子の作製
実施例１３において、発光層の形成に際して、例示化合物Ａ−２１の化合物を使用する代わりに、例示化合物Ｄ−１９の化合物を使用した以外は、実施例１３に記載の操作に従い、有機電界発光素子の作製を行い、作製した素子に直流電圧を印加し、室温乾燥雰囲気下、１０ｍＡ／ｃｍ２の定電流密度で連続駆動させた。結果を表１にまとめた。
【実施例１８】
【０１３２】
：有機電界発光素子の作製
実施例１３において、発光層の形成に際して、例示化合物Ａ−２１の化合物を使用する代わりに、例示化合物Ｄ−２６の化合物を使用した以外は、実施例１３に記載の操作に従い
、有機電界発光素子の作製を行い、作製した素子に直流電圧を印加し、室温乾燥雰囲気下、１０ｍＡ／ｃｍ２の定電流密度で連続駆動させた。結果を表１にまとめた。
【実施例１９】
【０１３３】
：有機電界発光素子の作製
実施例１３において、発光層の形成に際して、例示化合物Ａ−２１の化合物を使用する代わりに、例示化合物Ｄ−３１の化合物を使用した以外は、実施例１３に記載の操作に従い、有機電界発光素子の作製を行い、作製した素子に直流電圧を印加し、室温乾燥雰囲気下、１０ｍＡ／ｃｍ２の定電流密度で連続駆動させた。結果を表１にまとめた。
【０１３４】
比較例１：
実施例１３において、発光層の形成に際して、例示化合物Ａ−２１を使用する代わりに、Ｎ，Ｎ−ジメチルキナクリドンを質量比で９９：１として使用した以外は実施例１３に記載の操作に従い、有機電界発光素子を作製した。素子からは緑色の発光が確認された。さらにその特性を調べ、結果を第１表（表１）に示した。
【０１３５】
比較例２：
実施例１３において、発光層の形成に際して、例示化合物Ａ−２１を使用する代わりに、クマリン−６を使用した以外は実施例１３に記載の操作に従い、有機電界発光素子を作製した。素子からは緑色の発光が確認された。さらにその特性を調べ、結果を第１表（表１）に示した。
【０１３６】
【表１】
2005235633.tif 000023
【０１３７】
第１表から、本発明の有機電界発光素子が、比較例の有機電界発光素子と比較して、発光輝度が高く（発光効率が高く）なおかつ発光寿命も長いことが判る。
【実施例２０】
【０１３８】
：有機電界発光素子の作製
厚さ２００ｎｍのＩＴＯ透明電極（陽極）を有するガラス基板を、中性洗剤、セミコクリーン（フルウチ化学製）、超純粋、アセトン、エタノールを用いて超音波洗浄した。この基板を窒素ガスをもしいて乾燥し、さらにＵＶ／オゾン線上した後、蒸着装置の基板ホルダーに固定し、蒸着槽を１×１０−４Ｐａに減圧した。
まず、ＩＴＯ透明電極上に、Ｎ，Ｎ’−ジフェニル−Ｎ，Ｎ’−ジ（１”−ナフチル）−
４，４’−ジアミノ−１，１’−ビフェニルを蒸着速度０．２ｎｍ／ｓｅｃで７５ｎｍの厚さに蒸着し、正孔注入輸送層を形成した。次に、正孔注入輸送層の上に例示化合物Ｄ−２６の化合物を蒸着速度０．２ｎｍ／ｓｅｃで４０ｎｍに蒸着し、発光層を形成し、さらに、トリス（８−キノリノール）アルミニウムを蒸着速度０．２ｎｍ／ｓｅｃで２５ｎｍの厚さに蒸着し、電子注入輸送層を形成した。その上に、陰極としてマグネシウムと銀を蒸着速度１．０ｎｍ／ｓｅｃで２００ｎｍの厚さに共蒸着（質量比９：１）して陰極とし、さらに、銀を蒸着速度１．０ｎｍ／ｓｅｃで１００ｎｍの厚さに蒸着した。尚、蒸着は蒸着槽の減圧状態を保ったまま実施した。作製した有機電界発光素子に直流電圧を印加し、室温乾燥雰囲気下、１０ｍＡ／ｃｍ２の定電流密度で連続駆動させた。初期には５．９Ｖ、輝度９６０ｃｄ／ｍ２の黄緑色の発光が観察された。輝度の半減寿命は７８００時間であった。
【実施例２１】
【０１３９】
：有機電界発光素子の作製
厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した後、ＩＴＯ透明電極上にポリ〔Ｎ，Ｎ’−ジ（４”−ｎ−ヘキシルフェニル）−Ｎ，Ｎ’−（４”’−フェニレン）−４，４’−ジアミノ−１，１’−ビフェニル〕のトルエン溶液をスピンコートで５０ｎｍの厚さに塗布し、第１正孔注入輸送層を形成し、１１０℃で１時間乾燥させた。次にこの基板を蒸着装置の基板ホルダーに固定し、蒸着槽を２×１０−４Ｐａに減圧した。第１正孔注入輸送層上に、Ｎ，Ｎ’−ジフェニル−Ｎ，Ｎ’−ジ（１”−ナフチル）−４，４’−ジアミノ−１，１’−ビフェニルを蒸着速度０．２ｎｍ／ｓｅｃで、２５ｎｍの厚さに蒸着し、第２正孔注入輸送層を形成した。次に、例示化合物Ｄ−３３の化合物と、ルブレンを蒸着速度０．２ｎｍ／ｓｅｃで４０ｎｍの厚さに共蒸着（質量比９６：４）し発光層を形成し、さらに、トリス（８−キノリノラト）アルミニウムを蒸着速度０．２ｎｍ／ｓｅｃで２５ｎｍの厚さに蒸着し、電子注入輸送層を形成した。その上に蒸着速度０．２ｎｍ／ｓｅｃでＬｉＦを３ｎｍの厚さに蒸着した後、アルミニウムを蒸着速度１．０ｎｍ／ｓｅｃで２００ｎｍの厚さに蒸着した。尚、蒸着は蒸着槽の減圧状態を保ったまま実施した。作製した有機電界発光素子に直流電圧を印加し、室温乾燥雰囲気下、１０ｍＡ／ｃｍ２の定電流密度で連続駆動させた。初期には５．５Ｖ、輝度１２００ｃｄ／ｍ２の黄色の発光が観察された。輝度の半減寿命は６４００時間であった。
【実施例２２】
【０１４０】
厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した後、蒸着装置の基板ホルダーに固定し、蒸着槽を２×１０−４Ｐａに減圧した。先ず、ＩＴＯ透明電極上に、４，４’，４”−トリス〔Ｎ−（３”’−メチルフェニル）−Ｎ−フェニルアミノ〕トリフェニルアミンを蒸着速度０．２ｎｍ／ｓｅｃで、５０ｎｍの厚さに蒸着し、第１正孔注入輸送層を形成した。次いで、Ｎ，Ｎ，Ｎ’，Ｎ’−テトラ（１”−ナフチル）−４，４’−ジアミノ−１，１’−ビフェニルを蒸着速度０．２ｎｍ／ｓｅｃで２５ｎｍの厚さに蒸着して第２正孔注入輸送層を形成した。次いでその上に９，１０−ジフェニルアントラセンと例示化合物Ａ−１７の化合物とを異なる蒸着源から、蒸着速度０．２ｎｍ／ｓｅｃで４０ｎｍの厚さに共蒸着（質量比９０：１０）し、発光層を形成した。次いで、その上にトリス（８−キノリノラート）アルミニウムを蒸着速度０．２ｎｍ／ｓｅｃで２５ｎｍの厚さに蒸着し、電子注入輸送層を形成した。さらにその上に陰極としてマグネシウムと銀を蒸着速度１．０ｎｍ／ｓｅｃで２００ｎｍの厚みに共蒸着（質量比９：１）し、さらに、銀を蒸着速度１．０ｎｍ／ｓｅｃで１００ｎｍの厚みに蒸着し、有機電界発光素子を作製した。作製した有機電界発光素子に直流電圧を印加し、室温乾燥雰囲気下、１０ｍＡ／ｃｍ
２の定電流密度で連続駆動させた。初期には６．４Ｖ、輝度９４０ｃｄ／ｍ２の緑色の発光が観察された。輝度の半減寿命は９０００時間であった。
【実施例２３】
【０１４１】
：有機電界発光素子の作製
厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した後、蒸着装置の基板ホルダーに固定し、蒸着槽を１×１０−４Ｐａに減圧した。
先ず、ＩＴＯ透明電極上に、Ｎ，Ｎ’−ジフェニル−Ｎ，Ｎ’−（１”−ナフチル）−４，４’−ジアミノ−１，１’−ビフェニルと例示化合物Ｄ−２６の化合物を異なる蒸着源から蒸着速度０．２ｎｍ／ｓｅｃで７５ｎｍの厚さに共蒸着（質量比９０：１０）し、正孔注入輸送層を形成した。次いで、その上に９，１０−ジ（２’−ナフチル）アントラセンと例示化合物Ｄ−３３を異なる蒸着源から蒸着速度０．２ｎｍ／ｓｅｃで４０ｎｍの厚さに共蒸着（質量比９５：５）し、発光層を形成した。次いで、その上にトリス（８−キノリノラート）アルミニウムを蒸着速度０．２ｎｍ／ｓｅｃで２５ｎｍの厚さに蒸着し、電子注入輸送層を形成した。さらにその上に陰極としてマグネシウムと銀を蒸着速度１．０ｎｍ／ｓｅｃで２００ｎｍの厚みに共蒸着（質量比９：１）し、さらに、銀を蒸着速度１．０ｎｍ／ｓｅｃで１００ｎｍの厚みに蒸着し、有機電界発光素子を作製した。尚、蒸着は、蒸着槽の減圧状態を保ったまま実施した。作製した有機電界発光素子に直流電圧を印加し、乾燥雰囲気下、１０ｍＡ／ｃｍ２の定電流密度で連続駆動させた。初期には、５．８Ｖ、輝度１１００ｃｄ／ｍ２の緑色の発光が確認された。輝度の半減期は９５００時間であった。
【実施例２４】
【０１４２】
厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した後、蒸着装置の基板ホルダーに固定し、蒸着槽を１×１０−４Ｐａに減圧した。
先ず、ＩＴＯ透明電極上に、Ｎ，Ｎ’−ジフェニル−Ｎ，Ｎ’−（１”−ナフチル）−４，４’−ジアミノ−１，１’−ビフェニルを蒸着速度０．２ｎｍ／ｓｅｃで７５ｎｍの厚さに蒸着し、正孔注入輸送層を形成した。次いで、その上に９，１０−ジ（２’−ナフチル）アントラセンと例示化合物Ｂ−１３を異なる蒸着源から蒸着速度０．２ｎｍ／ｓｅｃで４０ｎｍの厚さに共蒸着（質量比９８：２）し、発光層を形成した。次いで、その上にトリス（８−キノリノラート）アルミニウムと例示化合物Ａ−２１を異なる蒸着源から蒸着速度０．２ｎｍ／ｓｅｃで２５ｎｍの厚さに共蒸着（質量比９５：５）し、電子注入輸送層を形成した。さらにその上に陰極としてマグネシウムと銀を蒸着速度１．０ｎｍ／ｓｅｃで２００ｎｍの厚みに共蒸着（質量比９：１）し、さらに、銀を蒸着速度１．０ｎｍ／ｓｅｃで１００ｎｍの厚みに蒸着し、有機電界発光素子を作製した。尚、蒸着は、蒸着槽の減圧状態を保ったまま実施した。作製した有機電界発光素子に直流電圧を印加し、乾燥雰囲気下、１０ｍＡ／ｃｍ２の定電流密度で連続駆動させた。初期には、５．８Ｖ、輝度９２０ｃｄ／ｍ２の緑色の発光が確認された。輝度の半減期は９３００時間であった。
【実施例２５】
【０１４３】
：有機電界発光素子の作製
厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した。次に、窒素ガス雰囲気下、ＩＴＯ透明電極上に、ポリメチルメタクリレート（重量平均分子量２５０００）、例示化合物Ａ−２１の化合物、例示化合物Ｄ−２６の化合物、トリス（８−キノリノラート）
アルミニウムをそれぞれ重量比１００：５０：０．５：１０の割合で含有する３重量％脱水ジクロロエタン溶液を用いてスピンコート法により、１００ｎｍの発光層を形成した。次にこの発光層を有するガラス基板を、蒸着装置の基板ホルダーに固定し、蒸着層を１×１０−４Ｐａに減圧した。発光層の上に、陰極としてマグネシウムと銀を蒸着速度１．０ｎｍ／ｓｅｃで２００ｎｍの厚さに共蒸着（重量比９：１）し、さらに、銀を蒸着速度１．０ｎｍ／ｓｅｃで１００ｎｍの厚さに蒸着し、有機電界発光素子を作製した。作製した有機電界発光素子に乾燥雰囲気下、１５Ｖの直流電圧を印加したところ、８６ｍＡ／ｃｍ２の電流が流れた。輝度９１０ｃｄ／ｍ２の緑色の発光が確認された。輝度の半減期は７４０時間であった。
【産業上の利用可能性】
【０１４４】
本発明により、発光寿命が長く、耐久性に優れ、発光効率の高い有機電界発光素子、および該有機電界発光素子に好適に使用できる１，２−ジヒドロ−１，２−ジアザ−シクロペンタ[cd]フルオランテン誘導体を提供することが可能になった。
【図面の簡単な説明】
【０１４５】
【図１】有機電界発光素子の一例の断面概略図である。
【図２】有機電界発光素子の一例の断面概略図である。
【図３】有機電界発光素子の一例の断面概略図である。
【図４】有機電界発光素子の一例の断面概略図である。
【図５】有機電界発光素子の一例の断面概略図である。
【図６】有機電界発光素子の一例の断面概略図である。
【図７】有機電界発光素子の一例の断面概略図である。
【図８】有機電界発光素子の一例の断面概略図である。
【符号の説明】
【０１４６】
１：基板
２：陽極
３：正孔注入輸送層
３ａ：正孔注入輸送成分
４：発光層
４ａ：発光成分
５：電子注入輸送層
５”：電子注入輸送層
５ａ：電子注入輸送成分
６：陰極
７：電源
【図１】
2005235633.tif 000026
【図２】
2005235633.tif 000027
【図３】
2005235633.tif 000028
【図４】
2005235633.tif 000029
【図５】
2005235633.tif 000030
【図６】
2005235633.tif 000031
【図７】
2005235633.tif 000032
【図８】
2005235633.tif 000033